(57)【要約】【課題】セル内で送受信される制御情報の量をより少なくすることを可能にする。【解決手段】セル内に位置する端末装置のチャネル状態に関するチャネル関連情報、及び、上記端末装置の位置に関する位置関連情報を取得する取得部と、上記チャネル関連情報及び上記位置関連情報に基づいて、上記セルにおける位置に応じたチャネル状態に関する統計情報を生成する生成部と、を備える通信制御装置が提供される。上記統計情報は、上記セルにおける無線リソースの割当てに用いられる情報である。【選択図】図７
2015015521.tif 000002
【特許請求の範囲】
【請求項１】
セル内に位置する端末装置のチャネル状態に関するチャネル関連情報、及び、前記端末装置の位置に関する位置関連情報を取得する取得部と、
前記チャネル関連情報及び前記位置関連情報に基づいて、前記セルにおける位置に応じたチャネル状態に関する統計情報を生成する生成部と、
を備え、
前記統計情報は、前記セルにおける無線リソースの割当てに用いられる情報である、
通信制御装置。
【請求項２】
前記チャネル関連情報は、マクロセル内に位置する端末装置のチャネル状態に関する第１のチャネル関連情報と、前記マクロセルと一部又は全体で重なるスモールセル内に位置する端末装置のチャネル状態に関する第２のチャネル関連情報とを含み、
前記位置関連情報は、前記マクロセル内に位置する前記端末装置の位置に関する第１の位置関連情報と、前記スモールセル内に位置する前記端末装置の位置に関する第２の位置関連情報とを含み、
前記統計情報は、前記マクロセルにおける位置に応じたチャネル状態に関する第１の統計情報と、前記スモールセルにおける位置に応じたチャネル状態に関する第２の統計情報とを含み、前記マクロセル及び前記スモールセルにおける無線リソースの割り当てに用いられる情報である、
請求項１に記載の通信制御装置。
【請求項３】
前記第１の統計情報及び前記第２の統計情報は、端末装置について前記マクロセル及び前記スモールセルのうちのいずれにおける無線リソースの割当てを行うかの判定に用いられる情報である、請求項２に記載の通信制御装置。
【請求項４】
前記取得部は、前記チャネル状態を伴う周波数帯域に関する周波数関連情報をさらに取得し、
前記生成部は、前記周波数関連情報にさらに基づいて、前記統計情報を生成し、
前記統計情報は、前記セルにおける位置及び周波数帯域に応じたチャネル状態に関する統計情報である、
請求項１に記載の通信制御装置。
【請求項５】
前記取得部は、前記チャネル状態の測定の時間に関する時間関連情報をさらに取得し、
前記生成部は、前記時間関連情報にさらに基づいて、前記統計情報を生成し、
前記統計情報は、前記セルにおける位置及び時間に応じたチャネル状態に関する統計情報である、
請求項１に記載の通信制御装置。
【請求項６】
前記セルは、前記セル内の１つ以上の位置をそれぞれ含む複数の領域を含み、
前記統計情報は、前記セルに含まれる各領域におけるチャネル状態に関する領域統計情報を含む、
請求項１に記載の通信制御装置。
【請求項７】
前記生成部は、前記セルに含まれる各領域に対応する前記チャネル関連情報の確率分布に基づいて、前記領域統計情報を生成する、請求項６に記載の通信制御装置。
【請求項８】
前記生成部は、前記統計情報の信頼性に関する信頼性情報をさらに生成する、請求項１に記載の通信制御装置。
【請求項９】
前記セルは、前記セル内の１つ以上の位置をそれぞれ含む複数の領域を含み、
前記統計情報は、前記セルに含まれる各領域におけるチャネル状態に関する領域統計情報を含み、
前記信頼性情報は、前記統計情報に含まれる各領域統計情報の信頼性に関する領域信頼性情報を含む、
請求項８に記載の通信制御装置。
【請求項１０】
前記生成部は、前記統計情報の生成に用いられる前記チャネル関連情報に関する分散を用いて、前記信頼性情報を生成する、請求項８に記載の通信制御装置。
【請求項１１】
前記生成部は、前記割当てに応じて行われる無線通信についてのフィードバック情報に基づいて、前記信頼性情報を更新する、請求項８に記載の通信制御装置。
【請求項１２】
前記フィードバック情報は、前記無線通信の成功又は失敗を示す情報を含み、
前記生成部は、前記フィードバック情報が前記無線通信の成功を示す場合に前記統計情報の信頼性がより高くなるように、又は、前記フィードバック情報が前記無線通信の失敗を示す場合に前記統計情報の信頼性がより低くなるように、前記信頼性情報を更新する、
請求項１１に記載の通信制御装置。
【請求項１３】
セル内に位置する端末装置のチャネル状態に関するチャネル関連情報、及び、前記端末装置の位置に関する位置関連情報を取得することと、
前記チャネル関連情報及び前記位置関連情報に基づいて、前記セルにおける位置に応じたチャネル状態に関する統計情報を生成することと、
を含み、
前記統計情報は、前記セルにおける無線リソースの割当てに用いられる情報である、
通信制御方法。
【請求項１４】
セルにおける位置に応じたチャネル状態に関する統計情報を取得する取得部と、
前記統計情報に基づいて、前記セルにおける無線リソースの割当てを行う割当部と、
を備える通信制御装置。
【請求項１５】
前記統計情報は、前記セル内に位置する端末装置のチャネル状態に関するチャネル関連情報と、前記端末装置の位置に関する位置関連情報とに基づいて生成される情報である、請求項１４に記載の通信制御装置。
【請求項１６】
前記割当部は、前記統計情報に基づく前記割当てを行うと判定される場合に、前記統計情報に基づいて前記割当てを行う、請求項１４に記載の通信制御装置。
【請求項１７】
前記統計情報に基づく前記割当てを行うかは、トラフィック量に基づいて判定される、請求項１６に記載の通信制御装置。
【請求項１８】
前記統計情報に基づく前記割当てを行うかは、端末装置の移動状況に基づいて判定される、請求項１６に記載の通信制御装置。
【請求項１９】
前記取得部は、前記統計情報の信頼性に関する信頼性情報をさらに取得し、
前記統計情報に基づく前記割当てを行うかは、前記信頼性情報に基づいて判定される、請求項１６に記載の通信制御装置。
【請求項２０】
セルにおける位置に応じたチャネル状態に関する統計情報を取得することと、
前記統計情報に基づいて、前記セルにおける無線リソースの割当てを行うことと、
を含む通信制御方法。
【請求項２１】
端末装置であって、
セル内に位置する場合の前記端末装置のチャネル状態に関するチャネル関連情報、及び、前記端末装置の位置に関する位置関連情報を取得する取得部と、
前記チャネル関連情報及び前記位置関連情報を基地局に提供する提供部と、
を備え、
前記チャネル関連情報及び前記位置関連情報は、前記セルにおける位置に応じたチャネル状態に関する統計情報の生成に用いられる情報であり、
前記統計情報は、前記セルにおける無線リソースの割当てに用いられる情報である、
端末装置。
【請求項２２】
端末装置を制御する情報処理装置であって、
所定のプログラムを記憶するメモリと、
前記所定のプログラムを実行可能な１つ以上のプロセッサと、
を備え、
前記所定のプログラムは、
セル内に位置する場合の前記端末装置のチャネル状態に関するチャネル関連情報、及び、前記端末装置の位置に関する位置関連情報を取得することと、
前記チャネル関連情報及び前記位置関連情報を基地局に提供することと、
を実行させるためのプログラムであり、
前記チャネル関連情報及び前記位置関連情報は、前記セルにおける位置に応じたチャネル状態に関する統計情報の生成に用いられる情報であり、
前記統計情報は、前記セルにおける無線リソースの割当てに用いられる情報である、
情報処理装置。
【発明の詳細な説明】
【技術分野】
【０００１】
本開示は、通信制御装置、通信制御方法及び端末装置に関する。
【背景技術】
【０００２】
近年、ＬＴＥ（Long  Term  Evolution）、ＷｉＭＡＸ（Worldwide  Interoperability  for  Microwave  Access）等のセルラ方式の通信システムが広く普及している。セルラ方式の通信システムでは、無線通信のために使用される無線リソースが端末装置に割り当てられる。
【０００３】
無線リソースの割り当ての際には、基地局と端末装置との間のチャネル状態が考慮される。具体例として、ＬＴＥでは、ｅＮＢ（evolved  Node  B）とＵＥ（User  Equipment）との間のチャネル状態に関するチャネル状態情報（Channel  State  Information：ＣＳＩ）が考慮される。当該ＣＳＩは、ＵＥによりｅＮＢに提供される。
【０００４】
なお、無線リソースの割当てに関連する技術として、例えば、特許文献１には、デジタルコードレス電話システムにおいて、通話チャネルの割当ての統計データ（割当て回数）に基づいて通話チャネルを割当てる技術が、開示されている。
【先行技術文献】
【特許文献】
【０００５】
【特許文献１】特開平７−３０７９７２号公報
【発明の概要】
【発明が解決しようとする課題】
【０００６】
一方、セルラ方式の通信システムでは、より多くの無線リソースがデータの送受信に使用可能になるように、基地局と端末装置との間で送受信される制御情報はより少なくなることが望ましい。例えば、無線リソースの割当ての際に考慮されるチャネル状態の情報（例えば、ＣＳＩ）の量は、なるべく少なくなることが望ましい。
【０００７】
しかし、例えば、セルラ方式の通信システムにおいて、上記特許文献１に開示されている技術のように、無線リソース（通話チャネル）の割当て回数が蓄積されたとしても、チャネル状態の情報（例えば、ＣＳＩ）の量を減らすことはできない。また、セルラ方式の通信システムでは、セル内の端末装置の位置によって基地局と端末装置との間のチャネル状態は異なるので、上記特許文献１に開示されている技術のように単に無線リソース（通話チャネル）ごとの統計情報があったとしても、無線リソースの割当てに利用することは困難である。
【０００８】
そこで、セル内で送受信される制御情報の量をより少なくすることを可能にする仕組みが提供されることが望ましい。
【課題を解決するための手段】
【０００９】
本開示によれば、セル内に位置する端末装置のチャネル状態に関するチャネル関連情報、及び、上記端末装置の位置に関する位置関連情報を取得する取得部と、上記チャネル関連情報及び上記位置関連情報に基づいて、上記セルにおける位置に応じたチャネル状態に関する統計情報を生成する生成部と、を備える通信制御装置が提供される。上記統計情報は、上記セルにおける無線リソースの割当てに用いられる情報である。
【００１０】
また、本開示によれば、セル内に位置する端末装置のチャネル状態に関するチャネル関連情報、及び、上記端末装置の位置に関する位置関連情報を取得することと、上記チャネル関連情報及び上記位置関連情報に基づいて、上記セルにおける位置に応じたチャネル状態に関する統計情報を生成することと、を含む通信制御方法が提供される。上記統計情報は、上記セルにおける無線リソースの割当てに用いられる情報である。
【００１１】
また、本開示によれば、セルにおける位置に応じたチャネル状態に関する統計情報を取得する取得部と、上記統計情報に基づいて、上記セルにおける無線リソースの割当てを行う割当部と、を備える通信制御装置が提供される。
【００１２】
また、本開示によれば、セルにおける位置に応じたチャネル状態に関する統計情報を取得することと、上記統計情報に基づいて、上記セルにおける無線リソースの割当てを行うことと、を含む通信制御方法が提供される。
【００１３】
また、本開示によれば、端末装置であって、セル内に位置する場合の上記端末装置のチャネル状態に関するチャネル関連情報、及び、上記端末装置の位置に関する位置関連情報を取得する取得部と、上記チャネル関連情報及び上記位置関連情報を基地局に提供する提供部と、を備える端末装置が提供される。上記チャネル関連情報及び上記位置関連情報は、上記セルにおける位置に応じたチャネル状態に関する統計情報の生成に用いられる情報である。上記統計情報は、上記セルにおける無線リソースの割当てに用いられる情報である。
【００１４】
また、本開示によれば、端末装置を制御する情報処理装置であって、所定のプログラムを記憶するメモリと、上記所定のプログラムを実行可能な１つ以上のプロセッサと、
を備える情報処理装置が提供される。上記所定のプログラムは、セル内に位置する場合の上記端末装置のチャネル状態に関するチャネル関連情報、及び、上記端末装置の位置に関する位置関連情報を取得することと、上記チャネル関連情報及び上記位置関連情報を基地局に提供することと、を実行させるためのプログラムである。上記チャネル関連情報及び上記位置関連情報は、上記セルにおける位置に応じたチャネル状態に関する統計情報の生成に用いられる情報である。上記統計情報は、上記セルにおける無線リソースの割当てに用いられる情報である。
【発明の効果】
【００１５】
以上説明したように本開示によれば、セル内で送受信される制御情報の量をより少なくすることが可能となる。
【図面の簡単な説明】
【００１６】
【図１】本開示の一実施形態に係る通信システムの概略的な構成の一例を示す説明図である。
【図２】一実施形態に係るネットワークエンティティ（ＮＥ）の構成の一例を示すブロック図である。
【図３】チャネル状態に関する統計情報がそれぞれ生成される領域の一例を説明するための説明図である。
【図４】ＣＱＩの確率密度関数の一例を説明するための説明図である。
【図５】領域統計情報の一例を説明するための説明図である。
【図６】セルの状況の一例を説明するための説明図である。
【図７】図６に示されるセルの状況下での領域統計情報の生成結果の一例を説明するための説明図である。
【図８】一実施形態に係るｅＮＢの構成の一例を示すブロック図である。
【図９】一実施形態に係るＵＥの構成の一例を示すブロック図である。
【図１０】一実施形態に係る第１の通信制御処理（統計情報の生成に係る処理）の概略的な流れの一例を示すシーケンス図である。
【図１１】一実施形態に係る第２の通信制御処理（実施判定及びリソース割当てに係る処理）の概略的な流れの一例を示すシーケンス図である。
【図１２】一実施形態に係るリソース割当てについての実行判定処理の概略的な流れの一例を示すフローチャートである。
【図１３】一実施形態に係る第３の通信制御処理（信頼性情報の更新に係る処理）の概略的な流れの第１の例を示すシーケンス図である。
【図１４】一実施形態に係る第３の通信制御処理（信頼性情報の更新に係る処理）の概略的な流れの第２の例を示すシーケンス図である。
【図１５】一実施形態の第１の変形例に係る第１の通信制御処理（統計情報の生成に係る処理）の概略的な流れの一例を示すシーケンス図である。
【図１６】一実施形態の第２の変形例に係るセルの配置の例を説明するための説明図である。
【図１７】マクロセル統計情報に含まれる領域統計情報の一例を説明するための説明図である。
【図１８】スモールセル統計情報に含まれる領域統計情報の一例を説明するための説明図である。
【図１９】マクロセル及びスモールセルでの選択的な無線リソースの割当てによるＵＥのチャネル状態の一例を説明するための説明図である。
【図２０】一実施形態の第２の変形例に係る第２の通信制御処理（実施判定及びリソース割当てに係る処理）の概略的な流れの一例を示すシーケンス図である。
【図２１】一実施形態の第３の変形例に係るセルの配置の例を説明するための説明図である。
【図２２】一実施形態に係るネットワークエンティティ（ＮＥ）のハードウェア構成の一例を示すブロック図である。
【図２３】一実施形態に係るｅＮＢのハードウェア構成の一例を示すブロック図である。
【図２４】一実施形態に係るＵＥのハードウェア構成の一例を示すブロック図である。
【発明を実施するための形態】
【００１７】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１８】
なお、説明は以下の順序で行うものとする。
１．通信システムの構成
２．ネットワークエンティティ（ＮＥ）の構成
３．ｅＮＢの構成
４．ＵＥの構成
５．処理の流れ
６．変形例
６．１．第１の変形例
６．２．第２の変形例
６．３．第３の変形例
７．ハードウェア構成
７．１．ネットワークエンティティ（ＮＥ）のハードウェア構成
７．２．ｅＮＢのハードウェア構成
７．３．ＵＥのハードウェア構成
８．まとめ
【００１９】
＜＜１．通信システムの概略的な構成＞＞
まず、図１を参照して、本開示の実施形態に係る通信システム１の概略的な構成を説明する。図１は、本開示の実施形態に係る通信システム１の概略的な構成の一例を示す説明図である。図１を参照すると、通信システム１は、ネットワークエンティティ１００、ｅＮＢ（evolved  Node  B）２００及びＵＥ（User  Equipment）３００を含む。この例では、通信システム１は、ＬＴＥ、ＬＴＥ−Ａｄｖａｎｃｅｄ、又はこれらに準ずる通信方式に従ったシステムである。
【００２０】
ネットワークエンティティ（network  entity：ＮＥ）１００は、１つ以上のｅＮＢ２００を制御する装置である。例えば、ＮＥ１００は、コアネットワークのノードである。具体例として、当該コアネットワークは、ＥＰＣ（evolved  Packet  Core）であり、上記ノードは、ＭＭＥ（Mobility  Management  Entity）、Ｓ−ＧＷ（Serving  Gateway）等の既存のノードであってもよく、又は新たに追加される新規のノードであってもよい。
【００２１】
ｅＮＢ２００は、セル２０内に位置する１つ以上のＵＥ３００との無線通信を行う。例えば、ｅＮＢ２００は、セル内に位置するＵＥ３００に無線リソースを割り当て、割り当てられた当該無線リソースを使用して、ＵＥ３００との無線通信を行う。なお、ｅＮＢ２００は、ＵＥ３００に無線リソースを割当てるにあたり、ｅＮＢ２００とＵＥ３００との間のチャネル状態を考慮する。
【００２２】
ＵＥ３００は、セル２０内に位置する場合に、ｅＮＢ２００との無線通信を行う。例えば、ｅＮＢ２００が、ＵＥ３００に無線リソースを割り当てると、ＵＥ３００は、割り当てられた無線リソースを使用して、ｅＮＢ２００との無線通信を行う。なお、ＵＥ３００は、ｅＮＢ２００とＵＥ３００との間のチャネル状態に関する情報をｅＮＢ２００に提供する。
【００２３】
＜＜２．ネットワークエンティティ（ＮＥ）の構成＞＞
図２〜図４を参照して、本実施形態に係るネットワークエンティティ（ＮＥ）１００の構成の一例を説明する。図２は、本実施形態に係るＮＥ１００の構成の一例を示すブロック図である。図２を参照すると、ＮＥ１００は、通信部１１０、記憶部１２０及び処理部１３０を備える。
【００２４】
（通信部１１０）
通信部１１０は、他の通信ノードと通信する。例えば、通信部１１０は、ｅＮＢ２００と通信する。また、例えば、通信部１１０は、コアネットワークの他の通信ノード（例えば、ＭＭＥ、Ｓ−ＧＷ等）と通信する。
【００２５】
（記憶部１２０）
記憶部１２０は、ＮＥ１００の動作のためのプログラム及びデータを記憶する。
【００２６】
（処理部１３０）
処理部１３０は、ＮＥ１００の様々な機能を提供する。処理部１３０は、情報取得部１３１及び統計情報生成部１３３を含む。
【００２７】
（情報取得部１３１）
−チャネル関連情報の取得
情報取得部１３１は、セル２０内に位置するＵＥ３００のチャネル状態に関するチャネル関連情報を取得する。
【００２８】
例えば、上記チャネル関連情報は、ＵＥ３００により提供されるチャネル状態情報（Channel  State  Information：ＣＳＩ）の一部又は全部である。例えば、ＣＳＩは、チャネル品質指標（Channel  Quality  Indicator）、プリコーディングマトリクス指標（Precoding  Matrix  Indicator：ＰＭＩ）、プリコーディングタイプ指標（Precoding  Type  Indicator：ＰＴＩ）及びランク指標（Rank  Indicator：ＲＩ）を含む。ＣＱＩは、ｅＮＢ２００により送信されるリファレンス信号（Reference  Signal）を用いて測定され、チャネル状態の品質を示す。また、ＰＭＩは、ＭＩＭＯ（Multiple-Input  and  Multiple-Output）通信におけるプリコーディングマトリクスを示す。また、ＰＴＩは、ＭＩＭＯ通信におけるプリコーディングタイプを示す。ＲＩは、ＭＩＭＯ通信におけるランクを示す。なお、ｅＮＢ２００は、ＵＥ３００との無線通信を行う際に、通常、ＵＥ３００により提供されるＣＳＩに基づいて、通信方式の決定、無線リソースの割当て等を行う。
【００２９】
−位置関連情報の取得
また、情報取得部１３１は、ＵＥ３００の位置に関する位置関連情報を取得する。
【００３０】
例えば、上記位置関連情報は、ＵＥ３００の位置を示す位置情報である。さらに具体的には、例えば、上記位置関連情報は、上記チャネル関連情報（例えば、ＣＳＩ）を得るための測定が行われた際のＵＥ３００の位置を示す位置情報である。当該位置情報により示される位置は、例えば、緯度及び経度、ｅＮＢ２００からの距離及び角度、いずれかの特定の地点に対する相対的な位置等のいずれかである。上記位置情報により示される位置は、２次元平面の位置であってもよく、又は３次元空間の位置であってもよい。
【００３１】
なお、ＵＥ３００の位置は、Ａ−ＧＮＳＳ（Assisted  Global  Navigation  Satellite  Systems）、ＯＴＤＯＡ（Observed  Time  Difference  Of  Arrival）、Ｅ−ＣＩＤ（Enhanced  Cell  ID）、ＧＰＳ（Global  Positioning  System）等の様々な測位手法のいずれかを用いて測定され得る。３ＧＰＰ（Third  Generation  Partnership  Project）のリリース９以降では、ローカリゼーションサービス機能の導入に応じて、このような様々な測位手法がサポートされている。
【００３２】
−具体的な取得手法
上述したように、情報取得部１３１は、チャネル関連情報（例えば、ＣＳＩ）を取得する。また、例えば、情報取得部１３１は、当該チャネル関連情報に対応する位置関連情報（例えば、位置情報）も併せて取得する。
【００３３】
具体的には、例えば、チャネル関連情報及び位置関連情報は、ＵＥ３００によりｅＮＢ２００に提供される。そして、ｅＮＢ２００は、上記チャネル関連情報及び上記位置関連情報をＮＥ１００に提供する。すると、情報取得部１３１は、通信部１１０を介して、上記チャネル関連情報及び上記位置関連情報を取得する。
【００３４】
なお、チャネル関連情報及び位置関連情報は、（周期的に、又は非周期的に）ｅＮＢ２００により自主的にＮＥ１００に提供されてもよく、（周期的な、又は非周期的な）ＮＷ１００の要求に応じて、ｅＮＢ２００によりＮＥ１００に提供されてもよい。また、チャネル関連情報及び位置関連情報が、ＮＷ１００の要求に応じて提供される場合に、当該要求は、セル２０内の特定の位置（又は、セル２０に含まれる特定の領域）に対応するチャネル関連情報を対象として行われてもよい。そして、ｅＮＢ２００は、当該要求に応じて、特定の位置（又は特定の領域）に対応するチャネル関連情報をＮＥ１００に提供してもよい。
【００３５】
（統計情報生成部１３３）
−統計情報
統計情報生成部１３３は、上記チャネル関連情報及び上記位置関連情報に基づいて、セル２０における位置に応じたチャネル状態に関する統計情報を生成する。この場合に、当該統計情報は、セル２０における無線リソースの割当てに用いられる情報である。
【００３６】
−−領域統計情報
例えば、セル２０は、複数の領域を含む。一例として、セル２０は、複数の（任意の）領域に分割されている。当該複数の領域は、セル２０内の１つ以上の位置をそれぞれ含む。そして、上記統計情報は、セル２０に含まれる各領域におけるチャネル状態に関する領域統計情報を含む。即ち、統計情報生成部１３３は、セル２０に含まれる各領域におけるチャネル状態に関する領域統計情報を生成する。
【００３７】
具体的には、例えば、統計情報生成部１３３は、取得されるチャネル関連情報に対応する位置関連情報（例えば、位置情報）に基づいて、上記複数の領域のうちの、上記チャネル関連情報に対応する領域を特定する。そして、統計情報生成部１３３は、領域単位で、チャネル関連情報を蓄積する。その後、統計情報生成部１３３は、領域単位で蓄積されたチャネル関連情報に基づいて、領域ごとの領域統計情報を生成する。例えば、統計情報生成部１３３は、第１の領域に対応するチャネル関連情報（即ち、第１の領域内での測定により得られたチャネル関連情報）に基づいて、第１の領域におけるチャネル状態に関する領域統計情報（即ち、第１の領域の領域統計情報）を生成する。以下、この点について図３を参照して具体例を説明する。
【００３８】
図３は、チャネル状態に関する統計情報がそれぞれ生成される領域の一例を説明するための説明図である。図３を参照すると、セル２０が示されている。セル２０は、複数の領域２１を含む。統計情報生成部１３３は、例えばこのような領域２１ごとに、領域２１におけるチャネル状態に関する統計情報（領域統計情報）を生成する。
【００３９】
セル２０内の位置によって、電波の伝搬路、受信電力等が変わるので、チャネル状態は、セル２０内の位置によって大きく異なり得る。そのため、上述したような領域統計情報の生成により、位置に応じたチャネル状態に関する統計情報が得られる。即ち、より信頼性の高い統計情報が得られる。そのため、例えば、統計情報に基づいてより適切な無線リソースの割当てを行うこと、又は、より高い頻度で統計情報に基づいて無線リソースの割当てを行うことが、可能になる。なお、領域の粒度をより細かくすることにより、より信頼性の高い統計情報が得られる。
【００４０】
また、統計情報に基づいて無線リソースの割当てを行うことが可能になれば、例えば、新たなチャネル関連情報の取得が不要になり得る。そのため、ＵＥ３００によるチャネル関連情報の提供の頻度を下げることが可能になる。即ち、セル２０内で送受信される制御情報の量をより少なくすることが可能になる。その結果、通信システム１のシステムキャパシティ、スループット等が増加し得る。
【００４１】
−−確率分布に基づく統計情報の生成
例えば、統計情報生成部１３３は、セル２０に含まれる各領域に対応する上記チャネル関連情報の確率分布に基づいて、上記領域統計情報を生成する。
【００４２】
例えば、チャネル関連情報は、ＣＳＩの一部又は全部である。一例として、チャネル関連情報は、ＣＱＩを含む。この場合に、統計情報生成部１３３は、各領域に対応するＣＱＩの確率分布に基づいて、各領域に対応するＣＱＩの領域統計情報を生成する。
【００４３】
第１の具体的な手法として、統計情報生成部１３３は、ＣＱＩの確率分布を表すＣＱＩの確率密度関数を作成し、当該確率密度関数からＣＱＩの領域統計情報を生成する。確率密度関数は、例えば、正規分布に従っていた場合に、以下のように表される。
【００４４】
【数１】
2015015521.tif 000003
【００４５】
ｐは、セル１０に含まれる領域（又は位置）を示す。また、Ｈ（ｐ）は、ｐに対応するチャネル状態を示す。この例では、Ｈ（ｐ）は、ｐに対応するＣＱＩを示す。そして、ｆ（Ｈ（ｐ））は、Ｈ（ｐ）の確率密度関数を示す。このような確率密度関数の具体例を図４を参照して説明する。
【００４６】
図４は、ＣＱＩの確率密度関数の一例を説明するための説明図である。図４を参照すると、ＣＱＩの確率密度関数のグラフが示されている。即ち、ＣＱＩに対する確率が示されている。例えば、このような確率密度関数から、領域統計情報（領域ごとの統計情報）が生成される。
【００４７】
また、上記統計情報は、例えば、確率分布における平均値である。この例では、上記統計情報は、ＣＱＩの確率分布における平均値（即ち、ＣＱＩの平均値）である。この場合に、ＣＱＩの候補の個数（例えば、０〜１５の１６個）をＮとし、ＣＱＩの各候補をＨ（ｐ）ｉとし、ＣＱＩの各候補についての確率をｆ（Ｈ（ｐ））ｉとすると、上記統計情報は、例えば以下のように表される。
【００４８】
【数２】
2015015521.tif 000004
【００４９】
なお、上記統計情報は、確率分布における平均値ではなく、当該平均値から得られる値（例えば、実際のＣＱＩの値である０〜１５のうちの当該平均値に最も近い値）であってもよい。また、上記統計情報は、確率密度関数から得られるさらに別の値であってもよい。具体例として、上記統計情報は、確率密度関数と所定の確率（８０％）とから得られる値であってもよい。以下、この点について、図５を参照して、具体例を説明する。
【００５０】
図５は、領域統計情報の一例を説明するための説明図である。図５を参照すると、図４と同様に、ＣＱＩの確率密度関数のグラフが示されている。まず、所定の確率（例えば、８０％）が設定される。すると、確率密度関数においてＣＱＩがより高い８０％の領域とＣＱＩがより低い２０％の領域とを分けるＣＱＩの閾値Ｘが算出される。そして、実際のＣＱＩの値である０〜１５のうちの閾値Ｘ以上の数の中で、最も小さい数が、上記領域統計情報として生成され得る。
【００５１】
また、第２の具体例として、統計情報生成部１３３は、ＣＱＩの確率分布において、最も高い確率を伴うＣＱＩを、領域統計情報として生成してもよい。例えば、ＣＱＩは、０〜１５のいずれかの値を有する。そして、統計情報生成部１３３は、０〜１５のうちの、最も高い確率を伴う値（即ち、取得回数が多かった値）を、領域統計情報として生成してもよい。一例として、ある領域において、ＣＱＩが「９」である確率が６０％である場合に、当該ある領域についてのＣＱＩの領域統計情報として「９」が生成されてもよい。
【００５２】
例えば以上のように、統計情報生成部１３３は、ＣＱＩの領域統計情報を生成する。このような領域統計情報の生成結果の例を、図６及び図７を参照して説明する。
【００５３】
図６は、セル２０の状況の一例を説明するための説明図である。図６を参照すると、セル２０及びｅＮＢ２００が示されている。また、セル２０内には、ｅＮＢ２００の無線通信にとっての遮蔽物９０が存在している。そのため、例えば、ＵＥ３００が位置３０にいる場合には、ＵＥ３００とｅＮＢ２００との間のチャネル状態は悪くなり得る。
【００５４】
図７は、図６に示されるセル２０の状況下での領域統計情報の生成結果の一例を説明するための説明図である。図７を参照すると、図３と同様に、セル２０及びセル２０に含まれる複数の領域２１が示されている。そして、図７では、領域統計情報の生成結果を示すために、各領域２１には、生成された領域統計情報に応じた模様が付されている。例えば、領域２１Ａについて、大きい値（例えば、１０≦ｘ≦１５）のＣＱＩの領域統計情報が生成されている。また、領域２１Ｃについて、小さい値（例えば、０≦ｘ＜５）のＣＱＩの領域統計情報が生成されている。また、領域２１Ｂについて、その他の値（例えば、５≦ｘ＜１０）のＣＱＩの領域統計情報が生成されている。なお、位置３０を含む領域は、遮蔽物９０に起因するチャネル状態の悪化により、領域２１Ｃとなっている。例えばこのように、セル２０内の領域ごとの領域統計情報を含むチャネル関連情報マップが、セル２０における位置に応じたチャネル状態に関する統計情報として生成され得る。
【００５５】
以上のように、統計情報生成部１３３は、セル２０に含まれる各領域に対応する上記チャネル関連情報の確率分布に基づいて、上記領域統計情報を生成する。一例として、ＣＱＩの領域統計情報の例を説明したが、チャネル関連情報に含まれる他の情報についても、上述した第１の具体例又は第２の具体例のいずれかを用いて、領域統計情報が生成され得る。例えば、ＰＭＩ、ＰＴＩ及びＲＩについて、上述した第２の具体例のように、最も高い確率を伴う値（即ち、取得回数が多かった値）が領域統計情報として生成され得る。なお、ＣＱＩ、ＰＭＩ、ＰＴＩ及びＲＩのような個別の情報ごとに統計情報を生成する代わりに、ＣＱＩ、ＰＭＩ、ＰＴＩ及びＲＩの組合せのような、個別の情報の組合せごとに、統計情報を生成してもよい。一例として、上述した第２の具体例のように、ＣＱＩ、ＰＭＩ、ＰＴＩ及びＲＩの組合せのうち、最も高い確率を伴う組合せが、領域統計情報として生成されてもよい。
【００５６】
−信頼性情報
例えば、統計情報生成部１３３は、上記統計情報の信頼性に関する信頼性情報をさらに生成する。具体的には、例えば、当該信頼性情報は、上記統計情報の信頼度である。
【００５７】
−−領域信頼性情報
例えば、上記信頼性情報は、上記統計情報に含まれる各領域統計情報の信頼性に関する領域信頼性情報を含む。具体的には、例えば、当該領域信頼性情報は、各領域統計情報の信頼度である。
【００５８】
第１の具体的な手法として、例えば、統計情報生成部１３３は、上記領域統計情報の生成に用いられる上記チャネル関連情報に関する分散を用いて、上記領域信頼性情報を生成する。
【００５９】
一例として、ＣＱＩの領域統計情報を例にあげると、上述したように、例えば、ＣＱＩの確率分布を表すＣＱＩの確率密度関数ｆ（Ｈ（ｐ））が作成され得る。この場合に、ＣＱＩの確率密度関数ｆ（Ｈ（ｐ））を用いて、ＣＱＩの領域統計情報の信頼度Ｒ（ｐ）は、例えば以下のような分散として表される。
【００６０】
【数３】
2015015521.tif 000005
【００６１】
このように算出される分散（即ち、信頼度）は、値がより大きい場合に、領域統計情報のばらつきが少ないことを示し、領域統計情報の信頼性がより高いことを示す。
【００６２】
また、第２の具体的な手法として、チャネル関連情報（例えば、ＣＱＩ）の確率分布において最も高い確率を伴うチャネル関連情報（例えば、ＣＱＩ）が、領域統計情報として生成される場合に、統計情報生成部１３３は、当該最も高い確率を、上記領域信頼性情報として生成してもよい。
【００６３】
一例として、ある領域において、ＣＱＩが「９」である確率が「６０％」である場合に、当該ある領域についてのＣＱＩの領域統計情報として、「９」が生成され、当該領域統計情報の信頼性に関する領域信頼性情報として、「６０％」が生成されてもよい。
【００６４】
例えば以上のように、上記統計情報の信頼性に関する信頼性情報が生成される。これにより、上記統計情報に基づく無線リソースの割当てを行うか否かを適切に判定することが可能になる。
【００６５】
また、上述したように、例えば、各領域統計情報の信頼性に関する領域信頼性情報が生成される。これにより、領域ごとに、上記統計情報に基づく無線リソースの割当てを行うか否かを判定することが可能になる。その結果、より信頼性の高い割当てを行うことが可能になる。
【００６６】
−−信頼性情報の更新
例えば、統計情報生成部１３３は、上記統計情報に基づく無線リソースの割当てに応じて行われる無線通信についてのフィードバック情報に基づいて、上記信頼性情報を更新する。
【００６７】
具体的には、例えば、上記フィードバック情報は、上記無線通信の成功又は失敗を示す情報を含む。一例として、ｅＮＢ２００とＵＥ３００との間の無線通信に関するＡＣＫ／ＮＡＣＫの送受信に伴い、ｅＮＢ２００は、上記フィードバック情報として、フィードバックレポートを生成する。当該フィードバックレポートは、受信の成功又は失敗を示す情報を含む。また、上記フィードバックレポートは、例えば、無線通信のための無線リソースの割当てに用いられた領域統計情報に対応する領域の情報も含む。統計情報生成部１３３は、ｅＮＢ２００からの上記フィードバックレポートに基づいて、領域信頼性情報を更新する。なお、上記フィードバックレポートは、受信の成功までに要したＨＡＲＱ（Hybrid  Automatic  Repeat  Request）の再送回数、使用された物理レイヤのパラメータ情報（トランスミッションモード、ＣＱＩ、ＰＭＩ、ＰＴＩ、ＲＩ、等）等の情報をさらに含んでもよい。
【００６８】
また、例えば、統計情報生成部１３３は、上記フィードバック情報が上記無線通信の成功を示す場合に上記統計情報の信頼性がより高くなるように、又は、上記フィードバック情報が上記無線通信の失敗を示す場合に上記統計情報の信頼性がより低くなるように、上記信頼性情報を更新する。一例として、ｅＮＢ２００からのフィードバックレポートが、受信の成功を示す情報を含む場合には、統計情報生成部１３３は、対応する領域統計情報の信頼性が高まるように、対応する領域信頼性情報に重み付けを行う。また、ｅＮＢ２００からのフィードバックレポートが、受信の失敗を示す情報を含む場合には、統計情報生成部１３３は、対応する領域統計情報の信頼性が低くなるように、対応する領域信頼性情報に重み付けを行う。
【００６９】
以上のような信頼性情報の更新により、例えば、信頼性情報の正確性が向上する。その結果、上記統計情報に基づく無線リソースの割当てを行うか否かを、さらに適切に判定することが可能になる。
【００７０】
なお、統計情報生成部１３３は、生成された上記統計情報及び上記信頼性情報をｅＮＢ２００に提供する。
【００７１】
＜＜３．ｅＮＢの構成＞＞
図８を参照して、本実施形態に係るｅＮＢ２００の構成の一例を説明する。図８は、本実施形態に係るｅＮＢ２００の構成の一例を示すブロック図である。図８を参照すると、ｅＮＢ２００は、アンテナ部２１０、無線通信部２２０、ネットワーク通信部２３０、記憶部２４０及び処理部２５０を備える。
【００７２】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【００７３】
（無線通信部２２０）
無線通信部２２０は、マクロセル２０内に位置するＵＥ３００との無線通信を行う。
【００７４】
（ネットワーク通信部２３０）
ネットワーク通信部２３０は、他の通信ノードと通信する。例えば、ネットワーク通信部２３０は、ＮＥ１００と通信する。また、例えば、ネットワーク通信部２３０は、コアネットワークの他の通信ノード（例えば、ＭＭＥ、Ｓ−ＧＷ等）と通信する。例えば、ネットワーク通信部２３０は、他のｅＮＢ２００と通信する。
【００７５】
（記憶部２４０）
記憶部２４０は、ｅＮＢ２００の動作のためのプログラム及びデータを記憶する。
【００７６】
（処理部２５０）
処理部２５０は、ｅＮＢ２００の様々な機能を提供する。処理部２５０は、情報取得部２５１、情報提供部２５３、割当判定部２５５、リソース割当部２５７及び通信制御部２５９を含む。
【００７７】
（情報取得部２５１）
−統計情報
情報取得部２５１は、セルにおける位置に応じたチャネル状態に関する統計情報を取得する。
【００７８】
具体的には、例えば、ＮＥ１００は、上記統計情報をｅＮＢ２００に提供する。すると、情報取得部２５１は、ネットワーク通信部２３０を介して、上記統計情報を取得する。
【００７９】
−信頼性情報
また、例えば、情報取得部２５１は、上記統計情報の信頼性に関する信頼性情報をさらに取得する。
【００８０】
具体的には、例えば、ＮＥ１００は、上記統計情報とともに、上記信頼性情報をｅＮＢ２００に提供する。すると、情報取得部２５１は、ネットワーク通信部２３０を介して、上記信頼性情報を取得する。
【００８１】
−チャネル関連情報、位置関連情報
また、例えば、情報取得部２５１は、セル２０内に位置するＵＥ３００のチャネル状態に関するチャネル関連情報、及び、ＵＥ３００の位置に関する位置関連情報を取得する。
【００８２】
具体的には、例えば、情報取得部２５１は、ネットワーク通信部２３０を介して、チャネル関連情報（例えば、ＣＳＩ）を報告することをＵＥ３００に要求する。すると、ＵＥ３００は、チャネル関連情報及び位置関連情報の組合せをｅＮＢ２００に提供する。そして、情報取得部２５１は、ネットワーク通信部２３０を介して、提供される当該組合せを取得する。
【００８３】
（情報提供部２５３）
−チャネル関連情報、位置関連情報
情報提供部２５３は、チャネル関連情報及び位置関連情報をＮＥ１００に提供する。例えば、情報提供部２５３は、情報取得部２５１により取得されたチャネル関連情報及び位置関連情報を、ネットワーク通信部２３０を介してＮＥ１００に提供する。
【００８４】
なお、情報提供部２５３は、自主的に、（周期的に、又は非周期的に）チャネル関連情報及び位置関連情報をＮＥ１００に提供してもよく、ＮＥ１００の要求に応じて、チャネル関連情報及び位置関連情報をＮＥ１００に提供してもよい。また、チャネル関連情報及び位置関連情報が、ＮＷ１００の要求に応じて、ｅＮＢ２００によりＮＥ１００に提供される場合に、当該要求は、セル２０内の特定の位置（又は、セル２０に含まれる特定の領域）に対応するチャネル関連情報の提供の要求であってもよい。そして、情報提供部２５３は、上記要求に応じて、上記特定の位置に対応するチャネル関連情報及び位置関連情報をＮＥ１００に提供してもよい。
【００８５】
−フィードバック情報
情報提供部２５３は、上記統計情報に基づく無線リソースの割当てに応じて行われる無線通信についてのフィードバック情報をＮＥ１００に提供する。例えば、上記フィードバック情報は、上記無線通信の成功又は失敗を示す情報を含む。
【００８６】
具体的には、例えば、ｅＮＢ２００とＵＥ３００との間の無線通信に関するＡＣＫ／ＮＡＣＫの送受信に伴い、情報提供部２５３は、上記フィードバック情報として、フィードバックレポートを生成する。当該フィードバックレポートは、受信の成功又は失敗を示す情報を含む。また、上記フィードバックレポートは、例えば、無線通信のための無線リソースの割当てに用いられた領域統計情報に対応する領域の情報も含む。なお、上記フィードバックレポートは、例えば、受信の成功までに要したＨＡＲＱの再送回数、使用された物理レイヤのパラメータ情報（トランスミッションモード、ＣＱＩ、ＰＭＩ、ＰＴＩ、ＲＩ、等）等をさらに含んでもよい。
【００８７】
（割当判定部２５５）
割当判定部２５５は、上記統計情報に基づくセル２０における無線リソースの割当てを行うかを判定する。
【００８８】
−トラフィック量に基づく判定
例えば、割当判定部２５５は、トラフィック量に基づいて、上記統計情報に基づく上記割当てを行うかを判定する。
【００８９】
例えば、割当判定部２５５は、セル２０内のトラフィック量に基づいて、セル２０のレベルで、上記統計情報に基づく上記割当てを行うかを判定する。
【００９０】
より具体的には、例えば、割当判定部２５５は、セル２０内のトラフィック量が所定の閾値を超える場合に、セル２０のレベルで、上記統計情報に基づく上記割当てを行うと判定する。その後、例えば、割当判定部２５５は、ＵＥ３００のレベルで（即ち、セル２０内に位置する個別のＵＥ３００ごとに）、上記統計情報に基づく上記割当てを行うかをさらに判定する。一方、割当判定部２５５は、セル２０内のトラフィック量が所定の閾値を超えない場合に、上記統計情報に基づく上記割当てを行わないと判定する。換言すると、割当判定部２５５は、いずれのＵＥ３００についても、無線リソースの通常の割当てを行うと判定する。
【００９１】
なお、割当判定部２５５は、セル２０内のトラフィック量に基づく判定とともに、又は当該判定の代わりに、ＵＥ３００のトラフィック量に基づいて、ＵＥ３００のレベルで（即ち、個別のＵＥ３００ごとに）、上記統計情報に基づく上記割当てを行うかを判定してもよい。
【００９２】
より具体的には、例えば、割当判定部２５５は、ＵＥ３００のトラフィック量が所定の閾値を超える場合に、このＵＥ３００について、上記統計情報に基づく上記割当てを行うと判定してもよい。一方、割当判定部２５５は、ＵＥ３００のトラフィック量が所定の閾値を超えない場合に、このＵＥ３００について、上記統計情報に基づく上記割当てを行わないと判定してもよい。換言すると、割当判定部２５５は、このＵＥ３００について、無線リソースの通常の割当てを行うと判定してもよい。
【００９３】
このようなトラフィック量に基づく判定により、例えば、トラフィック量が多い場合に、統計情報に基づく無線リソースの割当てが行われる。そのため、トラフィック量が多い場合に、セル２０内で送受信される制御信号（チャネル関連情報）の量をより少なくすることが可能になる。即ち、トラフィック量が多い場合に、より多くの無線リソースがデータの送受信に利用可能になる。
【００９４】
−ＵＥの移動状況に基づく判定
例えば、割当判定部２５５は、ＵＥ３００の移動状況に基づいて、上記統計情報に基づく上記割当てを行うかを判定する。
【００９５】
例えば、割当判定部２５５は、ＵＥ３００のレベルで（即ち、個別のＵＥ３００ごとに）、ＵＥ３００の移動状況に基づいて、上記統計情報に基づく上記割当てを行うかを判定する。当該移動状況は、例えば、ＵＥ３００の移動量（又は移動速度）である。
【００９６】
より具体的には、例えば、割当判定部２５５は、ＵＥ３００の移動量が所定の閾値を超える場合に、このＵＥ３００について、上記統計情報に基づく上記割当てを行わないと判定する。換言すると、割当判定部２５５は、このＵＥ３００について、無線リソースの通常の割当てを行うと判定する。一方、割当判定部２５５は、ＵＥ３００の移動量が所定の閾値を超えない場合に、このＵＥ３００について、上記統計情報に基づく上記割当てを行うと判定する。
【００９７】
このようなＵＥ３００の移動状況に基づく判定により、例えば、ＵＥ３００があまり移動していない場合に、統計情報に基づく無線リソースの割当てが行われる。換言すると、ＵＥ３００についてのチャネル状態があまり変動しない場合（即ち、統計情報が特に有用である場合）に、上記統計情報に基づく無線リソースの割当てが行われる。そのため、無線リソースの割当ての精度を維持しつつも、ＵＥ３００により提供される制御信号（チャネル関連情報）の量をより少なくすることが可能になる。
【００９８】
なお、ＵＥ３００の移動量は、ｅＮＢ２００により推定されてもよく、又は、ＵＥ３００によりｅＮＢ２００に提供されてもよい。ｅＮＢ２００は、例えば、ＵＥ３００の位置をトラッキングすることにより、ＵＥ３００の移動量を推定し得る。
【００９９】
−信頼性情報に基づく判定
例えば、割当判定部２５５は、上記統計情報の信頼性に関する信頼性情報に基づいて、上記統計情報に基づく上記割当てを行うかを判定する。
【０１００】
例えば、割当判定部２５５は、ＵＥ３００のレベルで（即ち、個別のＵＥ３００ごとに）、領域統計情報の信頼性に関する領域信頼性情報に基づいて、上記統計情報に基づく上記割当てを行うかを判定する。
【０１０１】
より具体的には、例えば、割当判定部２５５は、ＵＥ３００の位置に対応するセル２０内の領域を特定する。そして、割当判定部２５５は、特定された領域に対応する領域信頼性情報（例えば、信頼度）が所定の閾値を超える場合に、このＵＥ３００について、上記統計情報に基づく上記割当てを行うと判定する。一方、割当判定部２５５は、特定された領域に対応する領域信頼性情報（例えば、信頼度）が所定の閾値を超えない場合に、このＵＥ３００について、上記統計情報に基づく上記割当てを行わないと判定する。換言すると、割当判定部２５５は、このＵＥ３００について、無線リソースの通常の割当てを行うと判定する。
【０１０２】
このような信頼性情報に基づく判定により、例えば、上記統計情報の信頼性が高い場合には、統計情報に基づく無線リソースの割当てが行われ、上記統計情報の信頼性が低い場合には、統計情報に基づく無線リソースの割当てが行われない。そのため、無線リソースの割当ての精度を維持しつつも、ＵＥ３００により提供される制御信号（チャネル関連情報）の量をより少なくすることが可能になる。
【０１０３】
（リソース割当部２５７）
リソース割当部２５７は、セル２０における無線リソースの割当てを行う。
【０１０４】
とりわけ本実施形態では、リソース割当部２５７は、上記統計情報に基づいて、セル２０における無線リソースの割当てを行う。
【０１０５】
例えば、リソース割当部２５７は、上記統計情報に基づく上記割当てを行うと判定される場合に、上記統計情報に基づいて上記割当てを行う。より具体的には、例えば、リソース割当部２５７は、ＵＥ３００について上記統計情報に基づく上記割当てを行うと判定された場合に、このＵＥ３００について、上記統計情報に基づく無線リソースの割当てを行う。なお、リソース割当部２５７は、ＵＥ３００について上記統計情報に基づく上記割当てを行わない（又は、無線リソースの通常の割当てを行う）と判定された場合に、このＵＥ３００について、無線リソースの通常の割当てを行う。
【０１０６】
より具体的には、例えば、リソース割当部２５７は、ＵＥ３００の位置に対応するセル２０内の領域を特定する。そして、リソース割当部２５７は、特定された領域に対応する領域統計情報に基づいて、セル２０における無線リソースの割当てを行う。なお、ＵＥ３００の上記位置は、ｅＮＢ２００により推定されてもよく、ＵＥ３００によりｅＮＢ２００に通知されてもよい。
【０１０７】
例えば、上記領域統計情報は、領域ごとのＣＳＩの統計情報であり、領域ごとのＣＱＩの統計情報を含む。一例として、リソース割当部２５７は、ＣＱＩの統計情報に基づいて、変調オーダー及び符号化レートを決定する。そして、リソース割当部２５７は、当該変調オーダー及び当該符号化レートに基づいて、トランスポートブロックサイズ（ＴＢＳ）を決定し、当該ＴＢＳに基づいて、無線リソースのデータサイズを決定する。その後、リソース割当部２５７は、当該データサイズに対応する無線リソースをＵＥ３００に割当てる。
【０１０８】
以上のように、統計情報に基づく無線リソースの割り当てが行われる。これにより、新たなチャネル関連情報の取得が不要になり得る。そのため、例えば、ＵＥ３００によるチャネル関連情報の提供の頻度を下げることが可能になる。即ち、セル２０内で送受信される制御情報の量をより少なくすることが可能になる。
【０１０９】
なお、例えば、リソース割当部２５７は、無線通信部２２０を介して、リソース割当て情報（即ち、割り当てられた無線リソースの情報）をＵＥ３００に通知する。
【０１１０】
（通信制御部２５９）
通信制御部２５９は、ｅＮＢ２００による無線通信を制御する。例えば、通信制御部２５９は、無線通信部２２０に、割り当てられた無線リソースを使用してＵＥ３００との無線通信を行わせる。
【０１１１】
＜＜４．ＵＥの構成＞＞
図９を参照して、本実施形態に係るＵＥ３００の構成の一例を説明する。図９は、本実施形態に係るＵＥ３００の構成の一例を示すブロック図である。図９を参照すると、ＵＥ３００は、アンテナ部３１０、無線通信部３２０、記憶部３３０、入力部３４０、表示部３５０及び処理部３６０を備える。
【０１１２】
（アンテナ部３１０）
アンテナ部３１０は、無線信号を受信し、受信された無線信号を無線通信部３２０へ出力する。また、アンテナ部３１０は、無線通信部３２０により出力された送信信号を送信する。
【０１１３】
（無線通信部３２０）
無線通信部３２０は、ＵＥ３００がセル２０内に位置する場合に、ｅＮＢ２００との無線通信を行う。
【０１１４】
（記憶部３３０）
記憶部３３０は、ＵＥ３００の動作のためのプログラム及びデータを記憶する。
【０１１５】
（入力部３４０）
入力部３４０は、ＵＥ３００のユーザによる入力を受け付ける。そして、入力部３４０は、入力結果を処理部３６０に提供する。
【０１１６】
（表示部３５０）
表示部３５０は、ＵＥ３００からの出力画面（即ち、出力画像）を表示する。例えば、表示部３５０は、処理部３６０（表示制御部３６７）による制御に応じて、出力画面を表示する。
【０１１７】
（処理部３６０）
処理部３６０は、ＵＥ３００の様々な機能を提供する。処理部３６０は、情報取得部３６１、情報提供部３６３、通信制御部３６５及び表示制御部３６５を含む。
【０１１８】
（情報取得部３６１）
−チャネル関連情報
情報取得部３６１は、セル２０内に位置する場合のＵＥ３００のチャネル状態に関するチャネル関連情報を取得する。
【０１１９】
上述したように、例えば、上記チャネル関連情報は、チャネル状態情報（ＣＳＩ）の一部又は全部であり、情報取得部３６１は、ＣＳＩの一部又は全部（例えば、ＣＱＩ、ＰＭＩ、ＲＩ）を取得する。
【０１２０】
−位置関連情報
また、情報取得部３６１は、ＵＥ３００の位置に関する位置関連情報を取得する。
【０１２１】
上述したように、例えば、上記位置関連情報は、ＵＥ３００の位置を示す位置情報である。さらに具体的には、例えば、上記位置関連情報は、ＣＳＩを得るための測定が行われた際のＵＥ３００の位置を示す位置情報である。
【０１２２】
なお、例えば、ＵＥ３００の位置は、Ａ−ＧＮＳＳ、ＯＴＤＯＡ、Ｅ−ＣＩＤ、ＧＰＳ等の様々な測位手法のいずれかを用いて測定され、情報取得部３６１は、測定された当該位置を示す位置情報を取得する。
【０１２３】
（情報提供部３６３）
情報提供部３６３は、上記チャネル関連情報及び上記位置関連情報をｅＮＢ２００に提供する。
【０１２４】
具体的には、例えば、ｅＮＢ２００は、チャネル関連情報（例えば、ＣＳＩ）を報告することをＵＥ３００に要求する。すると、情報提供部３６３は、無線通信部３２０を介して、チャネル関連情報及び位置関連情報の組合せをｅＮＢ２００に提供する。
【０１２５】
なお、上述したように、上記チャネル関連情報及び上記位置関連情報は、セル２０における位置に応じたチャネル状態に関する統計情報の生成に用いられる情報である。また、上述したように、上記統計情報は、セル２０における無線リソースの割当てに用いられる情報である。
【０１２６】
このようなチャネル関連情報及び位置関連情報の提供により、セル２０における位置に応じたチャネル状態に関する統計情報に基づいて無線リソースの割り当てを行うことが可能になる。その結果、例えば、セル２０内で送受信される制御情報の量をより少なくなり得る。
【０１２７】
（通信制御部３６５）
通信制御部３６５は、ＵＥ３００による無線通信を制御する。例えば、通信制御部３６５は、ｅＮＢ２００により通知されるリソース割当て情報（即ち、割り当てられた無線リソースの情報）を取得し、無線通信部３２０に、割り当てられた無線リソースを使用してＵＥ３００との無線通信を行わせる。
【０１２８】
（表示制御部３６７）
表示制御部３６７は、表示部３５０による出力画面の表示を制御する。例えば、表示制御部３６７は、表示部３５０により表示される出力画面を生成し、当該出力画面を表示部３５０に表示させる。
【０１２９】
＜＜５．処理の流れ＞＞
次に、図１０〜図１４を参照して、本実施形態に係る通信制御処理の例を説明する。
【０１３０】
（第１の通信制御処理：統計情報の生成）
図１０は、本実施形態に係る第１の通信制御処理（統計情報の生成に係る処理）の概略的な流れの一例を示すシーケンス図である。
【０１３１】
まず、ｅＮＢ２００（情報取得部２５１）は、チャネル関連情報（例えば、ＣＳＩ）を報告することをＵＥ３００に要求する（Ｓ６０１）。すると、ＵＥ３００（情報取得部３６１）は、チャネル関連情報及び位置関連情報（例えば、位置情報）を取得する（Ｓ６０３）。そして、ＵＥ３００（情報提供部３６３）は、チャネル関連情報及び位置関連情報をｅＮＢ２００に提供する（Ｓ６０５）。
【０１３２】
その後、ｅＮＢ２００（情報提供部２５３）は、チャネル関連情報及び位置関連情報をＮＥ１００に提供する（Ｓ６０７）。
【０１３３】
そして、ＮＥ１００（統計情報生成部１３３）は、位置関連情報（例えば、位置情報）に基づいて、セル２０に含まれる複数の領域のうちの、上記チャネル関連情報に対応する領域を特定する（Ｓ６０９）。すると、ＮＥ１００（統計情報生成部１３３）は、領域単位で、チャネル関連情報を蓄積する（Ｓ６１１）。なお、以上のような処理（Ｓ６０１〜Ｓ６１１）の繰り返しにより、領域単位でチャネル関連情報が蓄積されていく。
【０１３４】
その後、統計情報生成部１３３は、領域単位で蓄積されたチャネル関連情報に基づいて、領域ごとの領域統計情報を生成する（Ｓ６１３）。また、統計情報生成部１３３は、当該領域統計情報の信頼性に関する領域信頼性情報を生成する（Ｓ６１５）。そして、統計情報生成部１３３は、生成された領域統計情報及び領域信頼性情報をｅＮＢ２００に提供する（Ｓ６１７）。
【０１３５】
（第２の通信制御処理：実施判定及びリソース割当て）
図１１は、本実施形態に係る第２の通信制御処理（実施判定及びリソース割当てに係る処理）の概略的な流れの一例を示すシーケンス図である。
【０１３６】
まず、ｅＮＢ２００（割当判定部２５５）は、リソース割当てについての実行判定処理を行う（Ｓ７００）。即ち、ｅＮＢ２００（割当判定部２５５）は、上記統計情報に基づくセル２０における無線リソースの割当てを行うかを判定する。上記実行判定処理の具体的な内容は後述する。
【０１３７】
そして、ｅＮＢ２００（リソース割当部２５７）は、統計情報に基づく無線リソースの割当ての対象のＵＥ３００（対象ＵＥ）について、領域統計情報に基づいて無線リソースの割当てを行う（Ｓ６４１）。また、ｅＮＢ２００（リソース割当部２５７）は、統計情報に基づく無線リソースの割当ての対象ではないＵＥ３００（非対象ＵＥ）について、無線リソースの通常の割当てを行う（Ｓ６４３）。
【０１３８】
その後、ｅＮＢ２００（リソース割当部２５７）は、リソース割当て情報（割り当てられた無線リソースの情報）をＵＥ３００に通知する（Ｓ６４５）。
【０１３９】
−リソース割当てについての実施判定処理
図１２は、本実施形態に係るリソース割当てについての実行判定処理の概略的な流れの一例を示すフローチャートである。当該実行判定処理は、図１１に示される第２の通信制御処理におけるＳ７００に対応し、ｅＮＢ２００により実行される。
【０１４０】
ステップＳ７０１で、割当判定部２５５は、セル２０内のトラフィック量が所定の閾値を超えるかを判定する。当該トラフィック量が所定の閾値を超える場合には、処理はステップＳ７０３へ進む。そうでなければ、処理はステップＳ７０５へ進む。
【０１４１】
ステップＳ７０３で、割当判定部２５５は、いずれのＵＥ３００についても、無線リソースの通常の割当てを行うと判定する。その結果、いずれのＵＥ３００も、統計情報に基づく無線リソースの割当ての対象ではないＵＥ３００（即ち、非対象ＵＥ）となる。そして、処理は終了する。
【０１４２】
ステップＳ７０５で、割当判定部２５５は、無線リソースの割当ての対象となるＵＥ３００を選択する。
【０１４３】
ステップＳ７０７で、割当判定部２５５は、選択されたＵＥ３００の移動量が所定の閾値を超えるかを判定する。当該移動量が所定の閾値を超える場合には、処理はステップＳ７１３９へ進む。そうでなければ、処理はステップＳ７０９へ進む。
【０１４４】
ステップＳ７０９で、割当判定部２５５は、選択されたＵＥ３００の位置に対応するセル２０内の領域に対応する領域信頼性情報（例えば、信頼度）が所定の閾値を超えるかを判定する。当該領域信頼性情報が所定の閾値を超える場合には、処理はステップＳ７１１へ進む。そうでなければ、処理はステップＳ７１３へ進む。
【０１４５】
ステップＳ７１１で、割当判定部２５５は、選択されたＵＥ３００について、領域統計情報に基づく無線リソースの割当てを行うと判定する。その結果、選択されたＵＥ３００は、統計情報に基づく無線リソースの割当ての対象のＵＥ３００（即ち、対象ＵＥ）となる。
【０１４６】
ステップＳ７１３で、割当判定部２５５は、選択されたＵＥ３００について、無線リソースの通常の割当てを行うと判定する。その結果、選択されたＵＥ３００は、統計情報に基づく無線リソースの割当ての対象ではないＵＥ３００（即ち、非対象ＵＥ）となる。
【０１４７】
ステップＳ７１５で、無線リソースの割当ての対象となる全てのＵＥ３００を選択したかを判定する。当該全てのＵＥ３００が選択されていれば、処理は終了する。そうでなければ、処理はステップＳ７０５へ戻る。
【０１４８】
（第３の通信制御処理：信頼性情報の更新）
−ダウンリンクについてのフィードバック
図１３は、本実施形態に係る第３の通信制御処理（信頼性情報の更新に係る処理）の概略的な流れの第１の例を示すシーケンス図である。当該第１の例は、ダウンリンクについてのフィードバックが行われる例である。
【０１４９】
ｅＮＢ２００（通信制御部２５９）は、ＵＥ３００に割り当てられたダウンリンクリソースを使用して、ＵＥ３００にデータを送信する（Ｓ６６１）。そして、ＵＥ３００（通信制御部３６５）は、データの受信判定を行い（Ｓ６６３）、当該受信判定の結果に応じて、ＡＣＫ又はＮＡＣＫをｅＮＢ２００に送信する（Ｓ６６５）。
【０１５０】
その後、ｅＮＢ２００（情報提供部２５３）は、受信の成功又は失敗を示す情報を含むフィードバックレポートを生成し、当該フィードバックレポートをＮＥ１００に提供する（Ｓ６６７）。
【０１５１】
そして、ＮＥ１００（統計情報生成部１３３）は、ｅＮＢ２００からの上記フィードバックレポートに基づいて、領域信頼性情報を更新する（Ｓ６６９）。
【０１５２】
−アップリンクについてのフィードバック
図１４は、本実施形態に係る第３の通信制御処理（信頼性情報の更新に係る処理）の概略的な流れの第２の例を示すシーケンス図である。当該第２の例は、アップリンクについてのフィードバックが行われる例である。
【０１５３】
ＵＥ３００ＵＥ３００（通信制御部３６５）は、ＵＥ３００に割り当てられたダウンリンクリソースを使用して、ｅＮＢ２００にデータを送信する（Ｓ６８１）。そして、ｅＮＢ２００（通信制御部２５９）は、データの受信判定を行い（Ｓ６８３）、当該受信判定の結果に応じて、ＡＣＫ又はＮＡＣＫをＵＥ３００に送信する（Ｓ６８５）。
【０１５４】
その後、ｅＮＢ２００（情報提供部２５３）は、受信の成功又は失敗を示す情報を含むフィードバックレポートを生成し、当該フィードバックレポートをＮＥ１００に提供する（Ｓ６８７）。
【０１５５】
そして、ＮＥ１００（統計情報生成部１３３）は、ｅＮＢ２００からの上記フィードバックレポートに基づいて、領域信頼性情報を更新する（Ｓ６８９）。
【０１５６】
＜＜６．変形例＞＞
続いて、図１５〜図２１を参照して、本実施形態の第１〜第４の変形例を説明する。第１の変形例は、さらに細分化された統計情報が生成されて用いられるシナリオに係る変形例である。また、第２〜第４の変形例は、マクロセル及びスモールセルが配置されるシナリオに係る変形例である。
【０１５７】
＜＜６．１．第１の変形例＞＞
上述した本実施形態の例では、セルにおける位置に応じたチャネル状態に関する統計情報が生成される。例えば、当該統計情報は、セル２０に含まれる各領域におけるチャネル状態に関する領域統計情報を含む。
【０１５８】
一方、本実施形態の第１の変形例では、セル２０における位置並びに周波数帯域及び／又は時間に応じたチャネル状態に関する統計情報が生成される。換言すると、領域統計情報は、各周波数帯域区分におけるチャネル状態に関する統計情報、各時間区分におけるチャネル状態に関する統計情報、又は、周波数帯域区分及び時間区分の各組合せにおけるチャネル状態に関する統計情報を含む。
【０１５９】
（ＮＥ１００：情報取得部１３１）
【０１６０】
−周波数関連情報の取得
例えば、情報取得部１３１は、上記チャネル状態を伴う周波数帯域に関する周波数関連情報をさらに取得する。
【０１６１】
例えば、上記周波数関連情報は、上記チャネル関連情報（例えば、ＣＳＩ）を得るための測定が行われた周波数帯域を示す周波数帯域情報である。当該周波数帯域情報により示される周波数帯域は、例えば、コンポーネントキャリア（Component  Carrier：ＣＣ）、所定数のリソースブロックに対応する帯域幅の周波数帯域、所定数のサブキャリア等のいずれかである。
【０１６２】
−時間関連情報の取得
また、例えば、情報取得部１３１は、上記チャネル状態の測定の時間に関する時間関連情報をさらに取得する。
【０１６３】
例えば、上記時間関連情報は、上記チャネル関連情報（例えば、ＣＳＩ）を得るための測定が行われた時間を示す時間情報である。当該時間情報により示される時間は、例えば、ＵＥ３００に内蔵される時計、ＧＰＳ等から得られる時刻、通信システムに用いられる時間（例えば、システムフレーム番号（ＳＦＮ）、無線フレームインデックス、サブフレーム、シンボル、等）等のいずれかである。
【０１６４】
−具体的な取得手法
例えば、情報取得部１３１は、ｅＮＢ２００から、チャネル関連情報及び位置関連情報とともに、周波数関連情報及び時間関連情報も併せて取得する。
【０１６５】
（ＮＥ１００：統計情報生成部１３３）
−統計情報
−−領域／周波数／時間統計情報
例えば、統計情報生成部１３３は、上記周波数関連情報にさらに基づいて、上記統計情報を生成する。この場合に、当該統計情報は、セル２０における位置及び周波数帯域に応じたチャネル状態に関する統計情報である。
【０１６６】
また、例えば、統計情報生成部１３３は、上記時間関連情報にさらに基づいて、上記統計情報を生成する。この場合に、当該統計情報は、セル２０における位置及び時間（並びに周波数帯域）に応じたチャネル状態に関する統計情報である。
【０１６７】
具体的には、例えば、統計情報生成部１３３は、取得されるチャネル関連情報に対応する位置関連情報（例えば、位置情報）に基づいて、セル２０に含まれる複数の領域のうちの、上記チャネル関連情報に対応する領域（換言すると、位置区分）を特定する。また、統計情報生成部１３３は、周波数関連情報（例えば、周波数帯域情報）に基づいて、上記チャネル関連情報に対応する周波数帯域区分（例えば、ＣＣ、所定数のリソースブロックに対応する帯域幅の周波数帯域、等）を特定する。また、統計情報生成部１３３は、時間関連情報（例えば、時間情報）に基づいて、上記チャネル関連情報に対応する時間区分（例えば、シンボル、サブフレーム、無線フレーム、時間（１２時台、１７時台、等）、昼間／夜間、季節、等）を特定する。そして、統計情報生成部１３３は、領域（位置区分）、周波数帯域区分及び時間区分の組合せ（以下、「統計区分」と呼ぶ）の単位で、チャネル関連情報を蓄積する。その後、統計情報生成部１３３は、統計区分単位で蓄積されたチャネル関連情報に基づいて、統計区分（即ち、領域、周波数帯域区分及び時間区分の台の組合せ）ごとの区分統計情報を生成する。例えば、統計情報生成部１３３は、第１の統計区分に対応するチャネル関連情報に基づいて、第１の統計区分（即ち、領域、周波数帯域区分及び時間区分の第１の組合せ）におけるチャネル状態に関する区分統計情報を生成する。
【０１６８】
以上のように、例えば、領域、周波数帯域区分及び時間区分の組合せである統計区分ごとの区分統計情報が生成される。換言すると、第１の変形例では、上述した領域統計情報は、さらに、周波数帯域区分及び時間区分の組合せごとの、さらに細分化された統計情報を含む。また、第１の変形例では、図７に示されるようなチャネル関連情報マップが、周波数帯域区分及び時間区分の組合せごとに生成され得る。
【０１６９】
なお、統計区分が、領域、周波数帯域区分及び時間区分という３つの区分の組合せである例を説明したが、第１の変形例は係る例に限定されない、例えば、統計区分は、領域及び周波数帯域区分という２つの区分の組合せであってもよい。また、統計区分は、領域及び時間区分という２つの区分の組合せであってもよい。また、上記統計区分は、領域並びに周波数帯域区分及び／又は時間区分と、別の区分（一例として、天候区分）との組合せであってもよい。
【０１７０】
−信頼性情報
−−区分信頼性情報
第１の変形例では、例えば、上記信頼性情報は、上記統計情報に含まれる各区分統計情報の信頼性に関する区分信頼性情報を含む。換言すると、上述した領域信頼性情報は、周波数帯域区分及び時間区分の組合せごとの、さらに細分化された区分信頼性情報を含む。
【０１７１】
−−信頼性情報の更新
また、第１の変形例では、例えば、各区分信頼性情報が、各統計区分（即ち、領域、周波数帯域区分及び時間区分の組合せ）に対応するフィードバック情報に基づいて、更新される。
【０１７２】
（ｅＮＢ２００：情報取得部２５１、情報提供部２５３）
−周波数関連情報、時間関連情報
第１の変形例では、例えば、情報取得部２５１は、チャネル関連情報及び位置関連情報とともに、上記周波数関連情報及び上記時間関連情報も取得する。
【０１７３】
また、情報提供部２５３は、チャネル関連情報及び位置関連情報とともに、上記周波数関連情報及び上記時間関連情報もＮＥ１００に提供する。
【０１７４】
−統計情報、信頼性情
第１の変形例では、例えば、情報取得部２５１は、各区分統計情報を含む統計情報、及び、各区分信頼性情報を含む信頼性情報を取得する。
【０１７５】
−フィードバック情報
第１の変形例では、例えば、フィードバック情報（フィードバックレポート）は、領域の情報に加えて、例えば、無線通信のための無線リソースの割当てに用いられた区分統計情報に対応する統計区分（領域、周波数区分、時間区分）の情報も含む。
【０１７６】
（ｅＮＢ２００：割当判定部２５５）
−信頼性情報に基づく判定
第１の変形例では、例えば、割当判定部２５５は、ＵＥ３００のレベルで（即ち、個別のＵＥ３００ごとに）、区分統計情報の信頼性に関する区分信頼性情報に基づいて、上記統計情報に基づく上記割当てを行うかを判定する。
【０１７７】
（ｅＮＢ２００：リソース割当部２５７）
第１の変形例では、例えば、リソース割当部２５７は、ＵＥ３００の位置に対応するセル２０内の領域を特定する。また、リソース割当部２５７は、ＵＥ３００の無線通信に使用される周波数帯域に対応する周波数帯域区分と、当該無線通信の時間に対応する時間区分とをさらに特定する。そして、リソース割当部２５７は、特定された統計区分（領域、周波数帯域区分及び時間区分）に対応する区分統計情報に基づいて、セル２０における無線リソースの割当てを行う。
【０１７８】
（ＵＥ３００：情報取得部３６１、情報提供部３６３）
−周波数関連情報、時間関連情報
第１の変形例では、例えば、情報取得部３６１は、チャネル関連情報及び位置関連情報とともに、上記周波数関連情報及び上記時間関連情報も取得する。
【０１７９】
また、情報提供部３６３は、チャネル関連情報及び位置関連情報とともに、上記周波数関連情報及び上記時間関連情報もｅＮＢ２００に提供する。
【０１８０】
（処理の流れ：第１の通信制御処理：統計情報の生成）
図１５は、本実施形態の第１の変形例に係る第１の通信制御処理（統計情報の生成に係る処理）の概略的な流れの一例を示すシーケンス図である。
【０１８１】
まず、ｅＮＢ２００（情報取得部２５１）は、チャネル関連情報（例えば、ＣＳＩ）を報告することをＵＥ３００に要求する（Ｓ７０１）。すると、ＵＥ３００（情報取得部３６１）は、チャネル関連情報、位置関連情報（例えば、位置情報）、周波数関連情報（例えば、周波数帯域情報）、及び時間関連情報（例えば、時間情報）を取得する（Ｓ７０３）。そして、ＵＥ３００（情報提供部３６３）は、チャネル関連情報、位置関連情報、周波数関連情報及び時間関連情報をｅＮＢ２００に提供する（Ｓ７０５）。
【０１８２】
その後、ｅＮＢ２００（情報提供部２５３）は、チャネル関連情報、位置関連情報、周波数関連情報及び時間関連情報をＮＥ１００に提供する（Ｓ７０７）。
【０１８３】
そして、ＮＥ１００（統計情報生成部１３３）は、上記位置関連情報、上記周波数関連情報及び上記時間関連情報に基づいて、上記チャネル関連情報に対応する統計区分（領域、周波数帯域区分及び時間区分の組合せ）を特定する（Ｓ７０９）。すると、ＮＥ１００（統計情報生成部１３３）は、統計区分単位で、チャネル関連情報を蓄積する（Ｓ７１１）。なお、以上のような処理（Ｓ７０１〜Ｓ７１１）の繰り返しにより、統計区分単位でチャネル関連情報が蓄積されていく。
【０１８４】
その後、統計情報生成部１３３は、統計区分単位で蓄積されたチャネル関連情報に基づいて、統計区分ごとの区分統計情報を生成する（Ｓ７１３）。また、統計情報生成部１３３は、当該区分統計情報の信頼性に関する区分信頼性情報を生成する（Ｓ７１５）。そして、統計情報生成部１３３は、生成された区分統計情報及び区分信頼性情報をｅＮＢ２００に提供する（Ｓ７１７）。
【０１８５】
（処理の流れ：第２の通信制御処理：実施判定及びリソース割当て）
第１の変形例でも、図１１及び図１２に示される処理と同様に、第２の通信制御処理（実施判定及びリソース割当てに係る処理）が行われる。なお、第１の変形例では、領域統計情報は、周波数帯域区分及び時間区分の組合せごとの、さらに細分化された区分統計情報を含む。よって、図１１及び図１２では、「領域」、「領域統計情報」、「領域信頼性情報」等は、「統計区分」、「区分統計情報」、「区分信頼性情報」等に読み替えられることに留意する。
【０１８６】
（第３の通信制御処理：信頼性情報の更新）
第１の変形例でも、図１３及び図１４に示される処理と同様に、第３の通信制御処理（信頼性情報の更新に係る処理）が行われる。なお、第１の変形例では、領域統計情報は、周波数帯域区分及び時間区分の組合せごとの、さらに細分化された区分統計情報を含む。よって、図１３及び図１４では、「領域信頼性情報」は、「区分信頼性情報」等に読み替えられることに留意する。
【０１８７】
以上、本実施形態の第１の変形例を説明した。
【０１８８】
第１の変形例によれば、例えば、上記周波数関連情報にさらに基づいて、上記統計情報が生成される。この場合に、当該統計情報は、セル２０における位置及び周波数帯域に応じたチャネル状態に関する統計情報である。
【０１８９】
周波数帯域によって、電波の伝搬路等が変わるので、チャネル状態は、周波数帯域によっても大きく異なり得る。そのため、周波数帯域に応じたチャネル状態に関する統計情報の生成により、さらに信頼性の高い統計情報が生成され得る。そのため、例えば、統計情報に基づいてより適切な無線リソースの割当てを行うこと、又は、より高い頻度で統計情報に基づいて無線リソースの割当てを行うことが、可能になる。
【０１９０】
また、第１の変形例によれば、例えば、上記時間関連情報にさらに基づいて、上記統計情報が生成される。この場合に、当該統計情報は、セル２０における位置及び時間に応じたチャネル状態に関する統計情報である。
【０１９１】
チャネル状態は、時間によっても異なり得る。そのため、時間に応じたチャネル状態に関する統計情報の生成により、さらに信頼性の高い統計情報が生成され得る。そのため、例えば、統計情報に基づいてより適切な無線リソースの割当てを行うこと、又は、より高い頻度で統計情報に基づいて無線リソースの割当てを行うことが、可能になる。
【０１９２】
＜＜６．２．第２の変形例＞＞
上述した本実施形態の例として、単独のセルが配置されている例を説明した。一方、本実施形態の第２の変形例では、マクロセルと当該マクロセルの一部又は全体と重なるスモールセルが配置される。
【０１９３】
（セルの配置）
図１６は、本実施形態の第２の変形例に係るセルの配置の例を説明するための説明図である。図１６を参照すると、マクロセル２０Ａ及びマクロセル２０ＡのｅＮＢ２００Ａが示されている。また、マクロセル２０Ａと重なるスモールセル２０Ｂ及びスモールセル２０ＢのｅＮＢ２００Ｂがさらに示されている。第２の変形例では、このようにマクロセル２０Ａ及びスモールセル２０Ｂが配置される。
【０１９４】
（ＮＥ１００）
例えば、ＮＥ１００は、マクロセル２０Ａ及びスモールセル２０Ｂの各々について、上述した本実施形態の例と同様に動作する。
【０１９５】
−情報取得部１３１
例えば、上述したように、情報取得部１３１は、セル２０内に位置するＵＥ３００のチャネル状態に関するチャネル関連情報を取得する。とりわけ第２の変形例では、当該チャネル関連情報は、マクロセル２０Ａ内に位置するＵＥ３００のチャネル状態に関する第１のチャネル関連情報（以下、「マクロセルチャネル関連情報」と呼ぶ）と、スモールセル２０Ｂ内に位置するＵＥ３００のチャネル状態に関する第２のチャネル関連情報（以下、「スモールセルチャネル関連情報」と呼ぶ）とを含む。
【０１９６】
例えば、上述したように、情報取得部１３１は、ＵＥ３００の位置に関する位置関連情報を取得する。とりわけ第２の変形例では、上記位置関連情報は、マクロセル２０Ａ内に位置するＵＥ３００の位置に関する第１の位置関連情報（以下、「マクロセル位置関連情報」と呼ぶ）と、スモールセル２０Ｂ内に位置するＵＥ３００の位置に関する第２の位置関連情報（以下、「スモールセル位置関連情報」と呼ぶ）とを含む。
【０１９７】
なお、例えば、マクロセルチャネル関連情報及びマクロセル位置関連情報は、マクロセル２０ＡのｅＮＢ２００ＡによりＮＥ１００に提供される。一方、スモールセルチャネル関連情報及びスモールセル位置関連情報は、スモールセル２０ＢのｅＮＢ２００ＢによりＮＥ１００に提供される。
【０１９８】
−統計情報生成部１３３
また、上述したように、統計情報生成部１３３は、セル２０内に位置するＵＥ３００のチャネル状態に関するチャネル関連情報、及び、ＵＥ３００の位置に関する位置関連情報に基づいて、セル２０における位置に応じたチャネル状態に関する統計情報を生成する。とりわけ第２の変形例では、例えば、上記統計情報は、マクロセル２０Ａにおける位置に応じたチャネル状態に関する第１の統計情報（以下、「マクロセル統計情報」と呼ぶ）と、スモールセル２０Ｂにおける位置に応じたチャネル状態に関する第２の統計情報（以下、「スモールセル統計情報」と呼ぶ）とを含む。
【０１９９】
なお、例えば、統計情報生成部１３３は、セル２０ごとに、統計情報を生成する。即ち、統計情報生成部１３３は、マクロセルチャネル関連情報及びマクロセル位置関連情報に基づいて、マクロセル統計情報を生成する。また、統計情報生成部１３３は、スモールセルチャネル関連情報及びスモールセル位置関連情報に基づいて、スモールセル統計情報を生成する。
【０２００】
（ｅＮＢ２００Ａ、ｅＮＢ２００Ｂ）
第２の変形例においても、例えば、マクロセル２０ＡのｅＮＢ２００Ａ、及びスモールセル２０ＢのｅＮＢ２００Ｂは、上述した本実施形態のｅＮＢ２００と同様に動作する。
【０２０１】
（ＵＥ３００）
第２の変形例においても、例えば、ＵＥ３００は、上述した本実施形態の例と同様に動作する。
【０２０２】
（全体での無線リソースの割当て）
上述したように、例えば、マクロセル２０Ａ及びスモールセル２０Ｂの各々について、無線リソースの割当てが別々に行われる。しかし、本実施形態の第２の変形例は係る例に限られない。例えば、マクロセル２０Ａ及びスモールセル２０Ｂを含む通信システム全体での無線リソースの割当てが行われてもよい。
【０２０３】
−無線リソースの割当ての例
例えば、マクロセル統計情報及びスモールセル統計情報を用いて、ＵＥ３００についてマクロセル２０Ａ及びスモールセル２０Ｂのうちのいずれにおける無線リソースの割当てを行うかが、判定されてもよい。そして、判定結果に応じて、マクロセル２０Ａ及びスモールセル２０Ｂのうちの一方における無線リソースが、ＵＥ３００に割り当てられてもよい。
【０２０４】
一例として、ＵＥ３００のチャネル状態が、スモールセルにおいてよりもマクロセルにおいて良好である場合に、ＵＥ３００についてマクロセルにおける無線リソースの割当てを行うと判定される。一方、ＵＥ３００のチャネル状態が、マクロセルにおいてよりもスモールセルにおいて良好である場合に、ＵＥ３００についてスモールセルにおける無線リソースの割当てを行うと判定される。以下、この点について、図１７及び図１８を参照して具体例を説明する。
【０２０５】
図１７は、マクロセル統計情報に含まれる領域統計情報の一例を説明するための説明図である。マクロセル２０Ａ及びマクロセル２０Ａに含まれる複数の領域２１が示されている。そして、図１７では、領域統計情報を示すために、各領域２１には、マクロセル統計情報に含まれる領域統計情報に応じた模様が付されている。例えば、領域２１Ａについて、より良好な領域統計情報（例えば、ＣＱＩの場合に、１０≦ｘ≦１５）が生成されている。また、領域２１Ｃについて、より悪い領域統計情報（例えば、ＣＱＩの場合に、０≦ｘ＜５）が生成されている。また、領域２１Ｂについて、その他の領域統計情報（例えば、ＣＱＩの場合に、５≦ｘ＜１０）が生成されている。そして、例えば、ＵＥ３００が位置３０Ａにいる場合には、マクロセル統計情報によれば、位置３０Ａは領域２１Ａに対応するので、マクロセル２０Ａでは、ＵＥ３００のチャネル状態は良好である。また、ＵＥ３００が位置３０Ｂにいる場合には、マクロセル統計情報によれば、位置３０Ｂは領域２１Ｂに対応するので、マクロセル２０Ａでは、ＵＥ３００のチャネル状態は良好でもなく悪くもない。
【０２０６】
図１８は、スモールセル統計情報に含まれる領域統計情報の一例を説明するための説明図である。スモールセル２０Ｂ及びスモールセル２０Ｂに含まれる複数の領域２１が示されている。また、マクロセル２０Ａも示されている。図１８では、図１７と同様に、各領域２１には、スモールセル統計情報に含まれる領域統計情報に応じた模様が付されている。そして、例えば、ＵＥ３００が位置３０Ａにいる場合には、スモールセル統計情報によれば、位置３０Ａは領域２１Ｃに対応するので、マクロセル２０Ａでは、ＵＥ３００のチャネル状態は悪い。また、ＵＥ３００が位置３０Ｂにいる場合には、スモールセル統計情報によれば、位置３０Ｂは領域２１Ａに対応するので、マクロセル２０Ａでは、ＵＥ３００のチャネル状態は良好である。
【０２０７】
以上のように、例えば、ＵＥ３００が位置３０Ａにいる場合に、マクロセル２０Ａにおけるチャネル状態は良好であるが、スモールセル２０Ｂにおけるチャネル状態は悪い。よって、ＵＥ３００が位置３０Ａにいる場合に、ＵＥ３００についてマクロセル２０Ａにおける無線リソースの割当てを行うと判定される。また、例えば、ＵＥ３００が位置３０Ｂにいる場合に、マクロセル２０Ａにおけるチャネル状態は良好でもなく悪くもないが、スモールセル２０Ｂにおけるチャネル状態は良好である。よって、ＵＥ３００が位置３０Ｂにいる場合に、ＵＥ３００についてスモールセル２０Ｂにおける無線リソースの割当てを行うと判定される。
【０２０８】
このように、マクロセル統計情報及びスモールセル統計情報を用いて、ＵＥ３００についてマクロセル２０Ａ及びスモールセル２０Ｂのうちのいずれにおける無線リソースの割当てを行うかが、判定されてもよい。これにより、より良好なチャネル状態での無線通信が可能になる。その結果、通信システム１全体でのシステムキャパシティ、スループット等が増加し得る。以下、この点について、図１５を参照して具体例を説明する。
【０２０９】
図１９は、マクロセル２０Ａ及びスモールセル２０Ｂでの選択的な無線リソースの割当てによるＵＥのチャネル状態の一例を説明するための説明図である。図１９を参照すると、マクロセル２０Ａ及びマクロセル２０Ａに含まれる複数の領域２１が示されている。図１９では、各領域２１には、上述したようなマクロセル２０Ａ及びスモールセル２０Ｂでの選択的な無線リソースの割当ての結果としてＵＥ３００が得るチャネル状態が模様として示されている。各模様は、図１７及び図１８と同様である。上述したように、ＵＥ３００は、マクロセル２０Ａでのチャネル状態と、スモールセル２０Ｂでのチャネル状態とのうち、より良好なチャネル状態が得られる。よって、図１９に示されるように、ＵＥ３００は、セル２０のうちの広い範囲で、良好なチャネル状態、又は悪くないチャネル状態を得ることができる。例えば、ＵＥ３００は、位置３０Ａにいる場合も、位置３０Ｂにいる場合も、良好なチャネル状態を得ることができる。
【０２１０】
−判定の主体
ＵＥ３００についてマクロセル２０Ａ及びスモールセル２０Ｂのうちのいずれにおける無線リソースの割当てを行うかの判定は、無線リソースの割当てを行う装置が行ってもよい。例えば、第２の変形例では、当該装置は、ｅＮＢ２００Ａ及びｅＮＢ２００Ｂの各々である。この場合に、ＮＥ１００は、マクロセル統計情報及びスモールセル統計情報の両方を、マクロセル２０ＡのｅＮＢ２００Ａ及びスモールセル２０ＢのｅＮＢ２００Ｂの各々に提供してもよい。
【０２１１】
−処理の流れ
図２０は、本実施形態の第２の変形例に係る第２の通信制御処理（実施判定及びリソース割当てに係る処理）の概略的な流れの一例を示すシーケンス図である。図２０に示されるｅＮＢ２００は、マクロセル２０ＡのｅＮＢ２００Ａ又はスモールセル２０ＢのｅＮＢ２００Ｂである。
【０２１２】
まず、ｅＮＢ２００（割当判定部２５５）は、マクロセル統計情報及びスモールセル統計情報を用いて、無線リソースの割当ての対象となるＵＥ３００について、マクロセル２０Ａ及びスモールセル２０Ｂのうちのいずれにおける無線リソースの割当てを行うかを判定する（Ｓ６５１）。
【０２１３】
なお、ｅＮＢ２００がマクロセル２０ＡのｅＮＢ２００Ａであれば、以降の処理（Ｓ７００、Ｓ６４１、Ｓ６４３、Ｓ６４５）は、マクロセル２０Ａにおける無線リソースの割当ての対象となったＵＥ３００について行われる。一方、ｅＮＢ２００がスモールセル２０ＢのｅＮＢ２００Ｂであれば、以降の処理（Ｓ７００、Ｓ６４１、Ｓ６４３、Ｓ６４５）は、スモールセル２０Ｂにおける無線リソースの割当ての対象となったＵＥ３００について行われる。
【０２１４】
以降の処理（Ｓ７００、Ｓ６４１、Ｓ６４３、Ｓ６４５）については、本実施形態の例として図１２を参照して説明したとおりである。
【０２１５】
（各セルで使用される周波数帯域）
−シナリオ２ａ／２ｂ
例えば、マクロセル２０Ａ及びスモールセル２０Ｂでは、別々の周波数帯域が使用される（スモールセルのシナリオ２ａ／２ｂ）。この場合には、ｅＮＢ２００Ａ及びｅＮＢ２００Ｂが、それぞれ独立して無線リソースの割当てを行うことができる。
【０２１６】
−シナリオ１
例えば、マクロセル２０Ａ及びスモールセル２０Ｂでは、同一の周波数帯域が共用される（スモールセルのシナリオ１）。この場合に、ｅＮＢ２００Ａ及びｅＮＢ２００Ｂが、それぞれ独立して無線リソースの割当てを行うと、干渉が生じてしまう。よって、例えば、マクロセル２０Ａにおける無線リソースの割当てと、スモールセル２０Ｂにおける無線リソースの割当とは、協調して行われる。
【０２１７】
一例として、マクロセル２０ＡのｅＮＢ２００Ａが、スモールセル２０ＢのｅＮＢ２００Ｂを制御することにより、マクロセル２０Ａにおける無線リソースの割当てと、スモールセル２０Ｂにおける無線リソースの割当との協調を行う。
【０２１８】
上記協調の一例として、マクロセル２０ＡのｅＮＢ２００Ａが、スモールセル２０ＢのｅＮＢ２００Ｂが、同一の周波数帯域で同一の時間に無線通信を行わないように、マクロセル２０Ａ及びスモールセル２０Ｂにおける無線リソースの割当が行われてもよい。また、上記統計情報を用いて、３ＧＰＰのリリース１０において採用されたｅＩＣＩＣ（enhanced  Inter-Cell  Interference  Coordination）のＡＢＳ（Almost  Blank  Subframe）の時間方向の割当て比が調整されてもよい。
【０２１９】
なお、上述したような、ＵＥ３００についてマクロセル２０Ａ及びスモールセル２０Ｂのうちのいずれにおける無線リソースの割当てを行うかの判定は、シナリオ１、シナリオ２ａ／２ｂ及び後述のシナリオ３のいずれにも適用され得る。
【０２２０】
（無線リソースの割当ての主体）
上述したように、例えば、マクロセル２０Ａ及びスモールセル２０Ｂの各々について、無線リソースの割当ては、各ｅＮＢ２００により行われる。
【０２２１】
しかし、本実施形態の第２の変形例は係る例に限られない。一例として、マクロセル２０Ａ及びスモールセル２０Ｂの両方における無線リソースの割当てが、ＮＥ１００により行われてもよい。また、マクロセル２０Ａ及びスモールセル２０Ｂの両方における無線リソースの割当てが、マクロセル２０ＡのｅＮＢ２００Ａにより行われてもよい。このように、マクロセル２０Ａ及びマクロセル２０Ｂの両方における無線リソースの割当てが、１つの通信ノードにより行われ得る。
【０２２２】
これにより、マクロセル２０Ａにおける無線リソースの割当てと、スモールセル２０Ｂにおける無線リソースの割当との間での協調が容易になる。なお、上述した１つの通信ノードによる無線リソースの割当ては、シナリオ１、シナリオ２ａ／２ｂ及び後述のシナリオ３のいずれにも適用され得る。
【０２２３】
＜＜６．３．第３の変形例＞＞
上述した本実施形態の例として、単独のセルが配置されている例を説明した。また、本実施形態の第２の変形例として、マクロセルと当該マクロセルの一部又は全体と重なるスモールセルが配置される例を説明した。一方、本実施形態の第３の変形例では、スモールセルのみが配置される。
【０２２４】
（セルの配置）
図２１は、本実施形態の第３の変形例に係るセルの配置の例を説明するための説明図である。図２１を参照すると、複数のスモールセル２０Ｂ、及び当該複数のスモールセル２０ＢのｅＮＢ２００Ｂが示されている。第３の変形例では、このように、マクロセルは配置されないが、スモールセル２０Ｂが配置される。
【０２２５】
（ＮＥ１００）
第３の変形例においても、例えば、ＮＥ１００は、複数のスモールセル２０Ｂの各々について、上述した本実施形態の例と同様に動作する。
【０２２６】
（ｅＮＢ２００Ｂ）
第３の変形例においても、例えば、スモールセル２０ＢのｅＮＢ２００Ｂは、上述した本実施形態のｅＮＢ２００と同様に動作する。
【０２２７】
（ＵＥ３００）
第３の変形例においても、例えば、ＵＥ３００は、上述した本実施形態の例と同様に動作する。
【０２２８】
（無線リソースの割当ての主体）
上述したように、例えば、スモールセル２０Ｂの各々について、無線リソースの割当ては、各ｅＮＢ２００Ｂにより行われる。これにより、無線リソースの割当てについて、バックホールでの遅延の影響を回避することができる。しかし、本実施形態の第３の変形例は係る例に限られない。一例として、上記複数のスモールセル２０Ｂの各々における無線リソースの割当てが、ＮＥ１００により行われてもよい。
【０２２９】
＜＜７．ハードウェア構成＞＞
続いて、図２２〜図２４を参照して、ＮＥ１００、ｅＮＢ２００及びＵＥ３００のハードウェア構成を説明する。
【０２３０】
＜７．１．ＮＥのハードウェア構成＞
まず、図２２を参照して、本実施形態に係るＮＥ１００のハードウェア構成の一例を説明する。図２２は、本実施形態に係るＮＥ１００のハードウェア構成の一例を示すブロック図である。図２２を参照すると、ＮＥ１００は、ＣＰＵ（Central  Processing  Unit）１０１０、ＲＯＭ（Read  Only  Memory）１０２０、ＲＡＭ（Random  Access  Memory）１０３０、バス１０４０、記憶装置１０５０、有線通信装置１０６０を備える。
【０２３１】
ＣＰＵ１０１０は、ＮＥ１００における様々な処理を実行する。また、ＲＯＭ１０２０は、ＮＥ１００における処理をＣＰＵ１０１０に実行させるためのプログラム及びデータを記憶する。また、ＲＡＭ１０３０は、ＣＰＵ１０１０の処理の実行時に、プログラム及びデータを一時的に記憶する。
【０２３２】
バス１０４０は、ＣＰＵ１０１０、ＲＯＭ１０２０及びＲＡＭ１０３０を相互に接続する。バス１０４０には、さらに、記憶装置１０５０及び有線通信装置１０６０が接続される。バス１０４０は、例えば、複数の種類のバスを含む。一例として、バス１０４０は、ＣＰＵ１０１０、ＲＯＭ１０２０及びＲＡＭ１０３０を接続する高速バスと、当該高速バスよりも低速の１つ以上の別のバスを含む。
【０２３３】
記憶装置１０５０は、ＮＥ１００内で一時的又は恒久的に保存すべきデータを記憶する。記憶装置１０５０は、例えば、ハードディスク（Hard  Disk）等の磁気記憶装置であってもよく、又は、ＥＥＰＲＯＭ（Electrically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）及びＰＲＡＭ（Phase  change  Random  Access  Memory）等の不揮発性メモリ（nonvolatile  memory）であってもよい。
【０２３４】
有線通信装置１０６０は、ＮＥ１００が備える有線通信手段であり、ネットワークを通して（あるいは、直接的に）外部装置と通信する。有線通信装置１０６０は、例えば、ＬＡＮ（Local  Area  Network）端子、伝送回路及びその他の通信処理用の回路を含む。
【０２３５】
＜７．２．ｅＮＢのハードウェア構成＞
次に、図２３を参照して、本実施形態に係るｅＮＢ２００のハードウェア構成の一例を説明する。図２３は、本実施形態に係るｅＮＢ２００のハードウェア構成の一例を示すブロック図である。図２３を参照すると、ｅＮＢ２００は、それぞれ、ＣＰＵ２０１０、ＲＯＭ２０２０、ＲＡＭ２０３０、バス２０４０、記憶装置２０５０、無線通信装置２０６０、アンテナ２０７０及び有線通信装置２０８０を備える。
【０２３６】
ＣＰＵ２０１０は、ｅＮＢ２００における様々な処理を実行する。また、ＲＯＭ２０２０は、ｅＮＢ２００における処理をＣＰＵ２０１０に実行させるためのプログラム及びデータを記憶する。また、ＲＡＭ２０３０は、ＣＰＵ２０１０の処理の実行時に、プログラム及びデータを一時的に記憶する。
【０２３７】
バス２０４０は、ＣＰＵ２０１０、ＲＯＭ２０２０及びＲＡＭ２０３０を相互に接続する。バス２０４０には、さらに、記憶装置２０５０、無線通信装置２０６０及び有線通信装置２０８０が接続される。バス２０４０は、例えば、複数の種類のバスを含む。一例として、バス２０４０は、ＣＰＵ２０１０、ＲＯＭ２０２０及びＲＡＭ２０３０を接続する高速バスと、当該高速バスよりも低速の１つ以上の別のバスを含む。
【０２３８】
記憶装置２０５０は、ｅＮＢ２００内で一時的又は恒久的に保存すべきデータを記憶する。記憶装置２０５０は、例えば、ハードディスク等の磁気記憶装置であってもよく、又は、ＥＥＰＲＯＭ、フラッシュメモリ、ＭＲＡＭ、ＦｅＲＡＭ及びＰＲＡＭ等の不揮発性メモリであってもよい。
【０２３９】
無線通信装置２０６０は、ｅＮＢ２００が備える無線通信手段であり、アンテナ２０７０を介して、ＵＥ３００と通信する。無線通信装置２０６０は、例えば、ＲＦ（Radio  Frequency）回路及びその他の通信処理用の回路を含む。
【０２４０】
アンテナ２０７０は、空間の電波を受信信号に変換し、当該受信信号を無線通信装置２０６０へ出力する。また、アンテナ２０７０は、無線通信装置２０６０により出力される送信信号を電波として空間に放射する。
【０２４１】
有線通信装置２０８０は、ｅＮＢ２００が備える有線通信手段であり、ネットワークを通して（あるいは、直接的に）外部装置と通信する。有線通信装置２０８０は、例えば、ＬＡＮ端子、伝送回路及びその他の通信処理用の回路を含む。
【０２４２】
＜７．３．ＵＥのハードウェア構成＞
次に、図２４を参照して、本実施形態に係るＵＥ３００のハードウェア構成の一例を説明する。図２４は、本実施形態に係るＵＥ３００のハードウェア構成の一例を示すブロック図である。図２４を参照すると、ＵＥ３００は、ＣＰＵ３０１０、ＲＯＭ３０２０、ＲＡＭ３０３０、バス３０４０、記憶装置３０５０、無線通信装置３０６０、アンテナ３０７０、入力装置３０８０及び表示装置３０９０を備える。
【０２４３】
ＣＰＵ３０１０は、ＵＥ３００における様々な処理を実行する。また、ＲＯＭ３０２０は、ＵＥ３００における処理をＣＰＵ３０１０に実行させるためのプログラム及びデータを記憶する。また、ＲＡＭ３０３０は、ＣＰＵ３０１０の処理の実行時に、プログラム及びデータを一時的に記憶する。
【０２４４】
バス３０４０は、ＣＰＵ３０１０、ＲＯＭ３０２０及びＲＡＭ３０３０を相互に接続する。バス３０４０には、さらに、記憶装置３０５０、無線通信装置３０６０、入力装置３０８０及び表示装置３０９０が接続される。バス３０４０は、例えば、複数の種類のバスを含む。一例として、バス３０４０は、ＣＰＵ３０１０、ＲＯＭ３０２０及びＲＡＭ３０３０を接続する高速バスと、当該高速バスよりも低速の１つ以上の別のバスを含む。
【０２４５】
記憶装置３０５０は、ＵＥ３００内で一時的又は恒久的に保存すべきデータを記憶する。記憶装置３０５０は、例えば、ハードディスク等の磁気記憶装置であってもよく、又は、ＥＥＰＲＯＭ、フラッシュメモリ、ＭＲＡＭ、ＦｅＲＡＭ及びＰＲＡＭ等の不揮発性メモリであってもよい。
【０２４６】
無線通信装置３０６０は、ＵＥ３００が備える無線通信手段であり、アンテナ３０７０を介して、ｅＮＢ２００と通信する。無線通信装置３０６０は、例えば、ＲＦ回路及びその他の通信処理用の回路を含む。
【０２４７】
アンテナ３０７０は、空間の電波を受信信号に変換し、当該受信信号を無線通信装置３０６０へ出力する。また、アンテナ３０７０は、無線通信装置３０６０により出力される送信信号を電波として空間に放射する。
【０２４８】
入力装置３０８０は、ＵＥ３００のユーザによる操作に応じて入力信号を生成する。例えば、入力装置３０８０は、タッチパネルのタッチ検出面、ボタン、キー等を含んでもよい。
【０２４９】
表示装置３０９０は、ＵＥ３００からの出力画像を表示する。表示装置３０９０は、例えば、液晶、有機ＥＬ（Organic  Light-Emitting  Diode：ＯＬＥＤ）、ＣＲＴ（Cathode  Ray  Tube）等を用いて実現され得る。
【０２５０】
＜＜８．まとめ＞＞
ここまで、図１〜図２４を用いて、本開示の実施形態に係る通信装置及び各処理を説明した。
【０２５１】
−統計情報
本開示に係る実施形態によれば、セル２０内に位置するＵＥ３００のチャネル状態に関するチャネル関連情報、及びＵＥ３００の位置に関する位置関連情報に基づいて、セル２０における位置に応じたチャネル状態に関する統計情報が生成される。そして、当該統計情報に基づいて、セル２０における無線リソースの割当てが行われる。
【０２５２】
これにより、例えば、新たなチャネル関連情報の取得が不要になり得る。そのため、ＵＥ３００によるチャネル関連情報の提供の頻度を下げることが可能になる。即ち、セル２０内で送受信される制御情報の量をより少なくすることが可能になる。その結果、通信システム１のシステムキャパシティ、スループット等が増加し得る。
【０２５３】
また、例えば、上記統計情報は、セル２０に含まれる各領域におけるチャネル状態に関する領域統計情報を含む。
【０２５４】
セル２０内の位置によって、電波の伝搬路、受信電力等が変わるので、チャネル状態は、セル２０内の位置によって大きく異なり得る。そのため、領域統計情報の生成により、位置に応じたチャネル状態に関する統計情報が得られる。即ち、より信頼性の高い統計情報が得られる。そのため、例えば、統計情報に基づいてより適切な無線リソースの割当てを行うこと、又は、より高い頻度で統計情報に基づいて無線リソースの割当てを行うことが、可能になる。なお、領域の粒度をより細かくすることにより、より信頼性の高い統計情報が得られる。
【０２５５】
−信頼性情報
【０２５６】
また、例えば、上記統計情報の信頼性に関する信頼性情報がさらに生成される。これにより、上記統計情報に基づく無線リソースの割当てを行うか否かを適切に判定することが可能になる。
【０２５７】
また、例えば、上記信頼性情報は、上記統計情報に含まれる各領域統計情報の信頼性に関する領域信頼性情報を含む。
【０２５８】
これにより、領域ごとに、上記統計情報に基づく無線リソースの割当てを行うか否かを判定することが可能になる。その結果、より信頼性の高い割当てを行うことが可能になる。
【０２５９】
また、例えば、上記統計情報に基づく無線リソースの割当てに応じて行われる無線通信についてのフィードバック情報に基づいて、上記信頼性情報が更新される。
【０２６０】
これにより、例えば、信頼性情報の正確性が向上する。その結果、上記統計情報に基づく無線リソースの割当てを行うか否かを、さらに適切に判定することが可能になる。
【０２６１】
−実行判定
【０２６２】
また、例えば、上記統計情報に基づくセル２０における無線リソースの割当てを行うかが判定される。
【０２６３】
また、例えば、トラフィック量に基づいて、上記統計情報に基づく上記割当てを行うかが判定される。
【０２６４】
このようなトラフィック量に基づく判定により、例えば、トラフィック量が多い場合に、統計情報に基づく無線リソースの割当てが行われる。そのため、トラフィック量が多い場合に、セル２０内で送受信される制御信号（チャネル関連情報）の量をより少なくすることが可能になる。即ち、トラフィック量が多い場合に、より多くの無線リソースがデータの送受信に利用可能になる。
【０２６５】
また、例えば、ＵＥ３００の移動状況に基づいて、上記統計情報に基づく上記割当てを行うかが判定される。
【０２６６】
このようなＵＥ３００の移動状況に基づく判定により、例えば、ＵＥ３００があまり移動していない場合に、統計情報に基づく無線リソースの割当てが行われる。換言すると、ＵＥ３００についてのチャネル状態があまり変動しない場合（即ち、統計情報が特に有用である場合）に、上記統計情報に基づく無線リソースの割当てが行われる。そのため、無線リソースの割当ての精度を維持しつつも、ＵＥ３００により提供される制御信号（チャネル関連情報）の量をより少なくすることが可能になる。
【０２６７】
また、例えば、上記統計情報の信頼性に関する信頼性情報に基づいて、上記統計情報に基づく上記割当てを行うかが判定される。
【０２６８】
このような信頼性情報に基づく判定により、例えば、上記統計情報の信頼性が高い場合には、統計情報に基づく無線リソースの割当てが行われ、上記統計情報の信頼性が低い場合には、統計情報に基づく無線リソースの割当てが行われない。そのため、無線リソースの割当ての精度を維持しつつも、ＵＥ３００により提供される制御信号（チャネル関連情報）の量をより少なくすることが可能になる。
【０２６９】
−周波数帯域区分及び時間区分での統計情報の細分化（第１の変形例）
また、例えば、上記チャネル状態を伴う周波数帯域に関する周波数関連情報にさらに基づいて、上記統計情報が生成される。この場合に、当該統計情報は、セル２０における位置及び周波数帯域に応じたチャネル状態に関する統計情報である。
【０２７０】
周波数帯域によって、電波の伝搬路等が変わるので、チャネル状態は、周波数帯域によっても大きく異なり得る。そのため、周波数帯域に応じたチャネル状態に関する統計情報の生成により、さらに信頼性の高い統計情報が生成され得る。そのため、例えば、統計情報に基づいてより適切な無線リソースの割当てを行うこと、又は、より高い頻度で統計情報に基づいて無線リソースの割当てを行うことが、可能になる。
【０２７１】
また、例えば、上記チャネル状態の測定の時間に関する時間関連情にさらに基づいて、上記統計情報が生成される。この場合に、当該統計情報は、セル２０における位置及び時間（並びに周波数帯域）に応じたチャネル状態に関する統計情報である。
【０２７２】
チャネル状態は、時間によっても異なり得る。そのため、時間に応じたチャネル状態に関する統計情報の生成により、さらに信頼性の高い統計情報が生成され得る。そのため、例えば、統計情報に基づいてより適切な無線リソースの割当てを行うこと、又は、より高い頻度で統計情報に基づいて無線リソースの割当てを行うことが、可能になる。
【０２７３】
−第２の変形例（マクロセル及びスモールセルの配置）
また、例えば、マクロセル統計情報及びスモールセル統計情報を用いて、ＵＥ３００についてマクロセル２０Ａ及びスモールセル２０Ｂのうちのいずれにおける無線リソースの割当てを行うかが、判定されてもよい。
【０２７４】
これにより、より良好なチャネル状態での無線通信が可能になる。その結果、通信システム１全体でのシステムキャパシティ、スループット等が増加し得る。
【０２７５】
以上、添付図面を参照しながら本開示の好適な実施形態を説明したが、本開示は係る例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０２７６】
例えば、チャネル関連情報がチャネル状態情報（ＣＳＩ）の一部又は全部である例を説明したが、本開示は係る例に限定されない。例えば、チャネル関連情報は、ＣＳＩの一部又は全部の代わりに、又はＣＳＩの一部又は全部とともに、チャネル状態に関する他の情報（ＲＳＲＰ、ＲＳＲＱ、等）を含んでもよい。
【０２７７】
また、位置関連情報（位置情報）が、ＵＥにより提供される例を説明したが、本開示は係る例に限定されない。位置関連情報は、ｅＮＢによるＵＥの位置のトラッキングによって、ｅＮＢにより取得されてもよい。また、周波数関連情報（周波数帯域情報）及び時間関連情報（時間情報）も、ＵＥにより提供されず、ｅＮＢにより自主的に取得されてもよい。
【０２７８】
また、位置に応じたチャネル状態に関する統計情報が生成されること、及び、さらに周波数帯域及び／又は時間に応じたチャネル状態に関する統計情報が生成されることを説明したが、本開示は係る例に限定されない。さらに別の観点から細分化された統計情報が生成されてもよい。一例として、気象又は気候に応じたチャネル状態に関する統計情報が生成されてもよい。
【０２７９】
また、上記統計情報の信頼性に関する信頼性情報がセル内のる領域の単位で生成される（即ち、領域信頼性情報が生成される）例を説明したが、本開示は係る例に限定されない。例えば、信頼性情報は、領域ごとの領域統計情報を含む統計情報全体の信頼性に関する情報であってもよい。この場合に、信頼性情報に基づく、統計情報に基づく無線リソースの割当ての実施判定は、ＵＥ単位ではなく、セル単位で行われてもよい。
【０２８０】
また、ＮＥが上記統計情報を生成する例を説明したが、本開示は係る例に限定されない。例えば、ＮＥ１００の代わりに、各ｅＮＢが上記統計情報を生成してもよい。また、マクロセル及びスモールセルが配置される場合に、マクロセルのｅＮＢが、マクロセル統計情報及びスモールセル統計情報の両方を生成し、スモールセル統計情報をスモールセルのｅＮＢに提供してもよい。
【０２８１】
また、原則として、統計情報に基づく無線リソースの割当てを行うかの判定をｅＮＢが行う例を説明したが、本開示は係る例に限定されない。例えば、ｅＮＢの代わりに、ＮＥが、統計情報に基づく無線リソースの割当てを行うかの判定を行なってもよい。また、マクロセル及びスモールセルが配置される場合に、マクロセルのｅＮＢが、マクロセルにおける統計情報に基づく無線リソースの割当てを行うかの判定のみではなく、スモールセルにおける統計情報に基づく無線リソースの割当てを行うかの判定も行なってもよい。これらの場合に、マクロセル及びスモールセルを含む通信システム全体のトラフィックに基づいて、マクロセル及びスモールセルを含む通信システム全体のレベルで、上記統計情報に基づく無線リソースの割当てを行うかが、判定されてもよい。
【０２８２】
また、ｅＮＢが無線リソースの割当てを行う例を説明したが、本開示は係る例に限定されない。例えば、ｅＮＢの代わりに、ＮＥが、無線リソースの割当てを行ってもよい。そして、ＮＥが、リソース割当て情報をｅＮＢに通知してもよい。
【０２８３】
また、ＮＥがｅＮＢとは別の通信ノードとして実装される例を説明したが、本開示は係る例に限定されない。例えば、ＮＥは、各ｅＮＢの中に実装されてもよい。また、別の例として、ＮＥは、複数のｅＮＢのうちの、代表のｅＮＢに実装されてもよい。この場合に、当該代表のｅＮＢは、自装置にとってのＮＥとして機能しつつ、他のｅＮＢにとってのＮＥとしても機能してもよい。
【０２８４】
また、ｅＮＢを１つの通信制御装置として説明したが、本開示は係る例に限定されない。ｅＮＢは複数の装置を含んでもよい。一例として、ｅＮＢは、アンテナ部を含むアンテナ装置と、無線通信部を含む無線通信装置と、記憶部及び処理部を備える通信制御装置とを含んでもよい。
【０２８５】
また、スモールセルのｅＮＢが、独立した完全な基地局である例を説明したが、本開示は係る例に限定されない。例えば、スモールセルのｅＮＢは、リモートレディオヘッド（ＲＲＨ：Remote  Radio  Head）があってもよい。ＲＲＨは、例えば、主としてアナログ信号処理部分及びアンテナ部分を備え、遠隔地の装置（例えば、マクロｅＮＢ）から光ファイバで張り出されてもよい。この場合に、上記遠隔地の装置（例えば、マクロｅＮＢ）に、スモールセル（ピコセル）のための通信制御機能（情報取得部及び通信制御部）が実装されてもよい。
【０２８６】
また、通信システムがＬＴＥ又はＬＴＥ−Ａに準拠する例を説明したが、本開示は係る例に限定されない。例えば、通信システムは、別の通信規格に準拠したシステムであってもよい。
【０２８７】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０２８８】
また、通信制御装置（ＮＥ、ｅＮＢ）及び端末装置（ＵＥ）に内蔵されるＣＰＵ、ＲＯＭ及びＲＡＭ等のハードウェアに、上記通信制御装置及び上記端末装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行するプロセッサ（例えば、ＣＰＵ）を含む情報処理装置（例えば、処理回路、チップ）も提供されてもよい。
【０２８９】
なお、以下のような構成も本開示の技術的範囲に属する。
（１）
セル内に位置する端末装置のチャネル状態に関するチャネル関連情報、及び、上記端末装置の位置に関する位置関連情報を取得する取得部と、
上記チャネル関連情報及び上記位置関連情報に基づいて、上記セルにおける位置に応じたチャネル状態に関する統計情報を生成する生成部と、
を備え、
上記統計情報は、上記セルにおける無線リソースの割当てに用いられる情報である、
通信制御装置。
（２）
上記チャネル関連情報は、マクロセル内に位置する端末装置のチャネル状態に関する第１のチャネル関連情報と、上記マクロセルと一部又は全体で重なるスモールセル内に位置する端末装置のチャネル状態に関する第２のチャネル関連情報とを含み、
上記位置関連情報は、上記マクロセル内に位置する上記端末装置の位置に関する第１の位置関連情報と、上記スモールセル内に位置する上記端末装置の位置に関する第２の位置関連情報とを含み、
上記統計情報は、上記マクロセルにおける位置に応じたチャネル状態に関する第１の統計情報と、上記スモールセルにおける位置に応じたチャネル状態に関する第２の統計情報とを含み、上記マクロセル及び上記スモールセルにおける無線リソースの割り当てに用いられる情報である、
上記（１）に記載の通信制御装置。
（３）
上記第１の統計情報及び上記第２の統計情報は、端末装置について上記マクロセル及び上記スモールセルのうちのいずれにおける無線リソースの割当てを行うかの判定に用いられる情報である、上記（２）に記載の通信制御装置。
（４）
上記取得部は、上記チャネル状態を伴う周波数帯域に関する周波数関連情報をさらに取得し、
上記生成部は、上記周波数関連情報にさらに基づいて、上記統計情報を生成し、
上記統計情報は、上記セルにおける位置及び周波数帯域に応じたチャネル状態に関する統計情報である、
上記（１）〜（３）のいずれか１項に記載の通信制御装置。
（５）
上記取得部は、上記チャネル状態の測定の時間に関する時間関連情報をさらに取得し、
上記生成部は、上記時間関連情報にさらに基づいて、上記統計情報を生成し、
上記統計情報は、上記セルにおける位置及び時間に応じたチャネル状態に関する統計情報である、
上記（１）〜（４）のいずれか１項に記載の通信制御装置。
（６）
上記セルは、上記セル内の１つ以上の位置をそれぞれ含む複数の領域を含み、
上記統計情報は、上記セルに含まれる各領域におけるチャネル状態に関する領域統計情報を含む、
上記（１）〜（５）のいずれか１項に記載の通信制御装置。
（７）
上記生成部は、上記セルに含まれる各領域に対応する上記チャネル関連情報の確率分布に基づいて、上記領域統計情報を生成する、上記（６）に記載の通信制御装置。
（８）
上記生成部は、上記統計情報の信頼性に関する信頼性情報をさらに生成する、上記（１）〜（７）のいずれか１項に記載の通信制御装置。
（９）
上記セルは、上記セル内の１つ以上の位置をそれぞれ含む複数の領域を含み、
上記統計情報は、上記セルに含まれる各領域におけるチャネル状態に関する領域統計情報を含み、
上記信頼性情報は、上記統計情報に含まれる各領域統計情報の信頼性に関する領域信頼性情報を含む、
上記（８）に記載の通信制御装置。
（１０）
上記生成部は、上記統計情報の生成に用いられる上記チャネル関連情報に関する分散を用いて、上記信頼性情報を生成する、上記（８）又は（９）に記載の通信制御装置。
（１１）
上記生成部は、上記割当てに応じて行われる無線通信についてのフィードバック情報に基づいて、上記信頼性情報を更新する、上記（８）〜（１０）のいずれか１項に記載の通信制御装置。
（１２）
上記フィードバック情報は、上記無線通信の成功又は失敗を示す情報を含み、
上記生成部は、上記フィードバック情報が上記無線通信の成功を示す場合に上記統計情報の信頼性がより高くなるように、又は、上記フィードバック情報が上記無線通信の失敗を示す場合に上記統計情報の信頼性がより低くなるように、上記信頼性情報を更新する、
上記（１１）に記載の通信制御装置。
（１３）
セル内に位置する端末装置のチャネル状態に関するチャネル関連情報、及び、上記端末装置の位置に関する位置関連情報を取得することと、
上記チャネル関連情報及び上記位置関連情報に基づいて、上記セルにおける位置に応じたチャネル状態に関する統計情報を生成することと、
を含み、
上記統計情報は、上記セルにおける無線リソースの割当てに用いられる情報である、
通信制御方法。
（１４）
セルにおける位置に応じたチャネル状態に関する統計情報を取得する取得部と、
上記統計情報に基づいて、上記セルにおける無線リソースの割当てを行う割当部と、
を備える通信制御装置。
（１５）
上記統計情報は、上記セル内に位置する端末装置のチャネル状態に関するチャネル関連情報と、上記端末装置の位置に関する位置関連情報とに基づいて生成される情報である、上記（１４）に記載の通信制御装置。
（１６）
上記割当部は、上記統計情報に基づく上記割当てを行うと判定される場合に、上記統計情報に基づいて上記割当てを行う、上記（１４）又は（１５）に記載の通信制御装置。
（１７）
上記統計情報に基づく上記割当てを行うかは、トラフィック量に基づいて判定される、上記（１６）に記載の通信制御装置。
（１８）
上記統計情報に基づく上記割当てを行うかは、端末装置の移動状況に基づいて判定される、上記（１６）又は（１７）に記載の通信制御装置。
（１９）
上記取得部は、上記統計情報の信頼性に関する信頼性情報をさらに取得し、
上記統計情報に基づく上記割当てを行うかは、上記信頼性情報に基づいて判定される、上記（１６）〜（１８）のいずれか１項に記載の通信制御装置。
（２０）
セルにおける位置に応じたチャネル状態に関する統計情報を取得することと、
上記統計情報に基づいて、上記セルにおける無線リソースの割当てを行うことと、
を含む通信制御方法。
（２１）
端末装置であって、
セル内に位置する場合の上記端末装置のチャネル状態に関するチャネル関連情報、及び、上記端末装置の位置に関する位置関連情報を取得する取得部と、
上記チャネル関連情報及び上記位置関連情報を基地局に提供する提供部と、
を備え、
上記チャネル関連情報及び上記位置関連情報は、上記セルにおける位置に応じたチャネル状態に関する統計情報の生成に用いられる情報であり、
上記統計情報は、上記セルにおける無線リソースの割当てに用いられる情報である、
端末装置。
（２２）
端末装置を制御する情報処理装置であって、
所定のプログラムを記憶するメモリと、
上記所定のプログラムを実行可能な１つ以上のプロセッサと、
を備え、
上記所定のプログラムは、
セル内に位置する場合の上記端末装置のチャネル状態に関するチャネル関連情報、及び、上記端末装置の位置に関する位置関連情報を取得することと、
上記チャネル関連情報及び上記位置関連情報を基地局に提供することと、
を実行させるためのプログラムであり、
上記チャネル関連情報及び上記位置関連情報は、上記セルにおける位置に応じたチャネル状態に関する統計情報の生成に用いられる情報であり、
上記統計情報は、上記セルにおける無線リソースの割当てに用いられる情報である、
情報処理装置。
【符号の説明】
【０２９０】
１        通信システム
２０      セル
２０Ａ    マクロセル
２０Ｂ    スモールセル
１００    ネットワークエンティティ（ＮＥ）
１３１    情報取得部
１３３    統計情報生成部
２００    ｅＮＢ（evolved  Node  B）
２５１    情報取得部
２５７    リソース割当部
３００    ＵＥ
３６１    情報取得部
３６３    情報提供部
【図１】
2015015521.tif 000006
【図２】
2015015521.tif 000007
【図３】
2015015521.tif 000008
【図４】
2015015521.tif 000009
【図５】
2015015521.tif 000010
【図６】
2015015521.tif 000011
【図７】
2015015521.tif 000012
【図８】
2015015521.tif 000013
【図９】
2015015521.tif 000014
【図１０】
2015015521.tif 000015
【図１１】
2015015521.tif 000016
【図１２】
2015015521.tif 000017
【図１３】
2015015521.tif 000018
【図１４】
2015015521.tif 000019
【図１５】
2015015521.tif 000020
【図１６】
2015015521.tif 000021
【図１７】
2015015521.tif 000022
【図１８】
2015015521.tif 000023
【図１９】
2015015521.tif 000024
【図２０】
2015015521.tif 000025
【図２１】
2015015521.tif 000026
【図２２】
2015015521.tif 000027
【図２３】
2015015521.tif 000028
【図２４】
2015015521.tif 000029